(57)【要約】【課題】  貝係止具の貝止め突起が倒伏して貝止め突起に係止した貝が脱落することがあった。【解決手段】  ロープ及び貝の孔に差し込み可能な細長の基材に突設した貝止め突起に、抜け止め片、落下防止突起、抜け止め部を設けて、それらが邪魔になって、貝止め突起に係止した貝が基材及び貝止め突起から脱落しないようにした。【選択図】  図６
2006238870.tif 000002
【特許請求の範囲】
【請求項１】
ロープと貝にあけた孔に差し込み可能な細長の基材（１）と、貝止め突起（２）と、第一ロープ止め突起（３）を備え、貝止め突起（２）は基材（１）の軸方向端部（５）側から第一ロープ止め突起（３）側に突設され、貝止め突起（２）の幅方向一側方又は両側方に貝止め突起（２）の幅方向内側に窪んだ窪み部（３０）を形成して窪み部（３０）の内側に幅の狭い幅狭部（３０ａ）を形成し、窪み部（３０）は貝止め突起（２）の長手方向に一又は二以上設けられ、窪み部（３０）は直線状に又は曲線状に窪ませて形成され、前記基材（１）、貝止め突起（２）、第一ロープ止め突起（３）が樹脂で一体成型されたことを特徴とする貝係止具。
【請求項２】
請求項１記載の貝係止具において、貝止め突起（２）における幅狭部（３０ａ）の内面又は外面を肉薄にして、幅狭部（３０ａ）を肉薄に形成された内面側又は外面側に曲がり易くしたことを特徴とする貝係止具。
【請求項３】
ロープと貝にあけた孔とに差し込み可能な細長の基材（１）が貝止め突起（２）と第一ロープ止め突起（３）とを備え、貝止め突起（２）は基材（１）の軸方向端部（５）側から第一ロープ止め突起（３）側に突設され、貝止め突起（２）の外面（２ａ）と内面（２ｂ）の双方又はいずれか一方に肉薄の折れ曲がり部（１２）が一又は二以上形成され、その折れ曲がり部（１２）は貝止め突起（２）の幅方向に沿って形成されたことを特徴とする貝係止具。
【請求項４】
ロープと、貝にあけた孔とに差し込み可能な細長の基材（１）が貝止め突起（２）と第一ロープ止め突起（３）とを備え、基材（１）のうち貝止め突起（２）の内面に、貝（６）の孔への基材（１）及び貝止め突起（２）の差し込み時に貝止め突起（２）が倒伏する寝床（１０）が設けられ、貝止め突起（２）は基材（１）の軸方向端部（５）側から第一ロープ止め突起（３）側に突設され、貝止め突起（２）の内面（２ｂ）に落下防止突起（９）が一又は二以上突設され、これら基材（１）、貝止め突起（２）、第一ロープ止め突起（３）、落下防止突起（９）が樹脂で一体成型されたことを特徴とする貝係止具。
【請求項５】
ロープと、貝にあけた孔とに差し込み可能な細長の基材（１）が貝止め突起（２）と第一ロープ止め突起（３）とを備え、基材（１）のうち貝止め突起（２）の内面に、貝（６）の孔への基材（１）及び貝止め突起（２）の差し込み時に貝止め突起（２）が倒伏する寝床（１０）が設けられ、貝止め突起（２）は基材（１）の軸方向端部（５）側から第一ロープ止め突起（３）側に突設され、貝止め突起（２）の内面（２ｂ）に落下防止突起（９）が一又は二以上突設され、寝床（１０）に貝止め突起（２）の倒伏時に落下防止突起（９）が嵌合可能な受け凹部（１１）が一又は二以上突設され、これら基材（１）、貝止め突起（２）、第一ロープ止め突起（３）、落下防止突起（９）、受け凹部（１１）が樹脂で一体成型されたことを特徴とする貝係止具。
【請求項６】
請求項５記載の貝係止具において、受け凹部（１１）は落下防止突起（９）よりも僅かに基材（１）の軸方向中央部寄りの位置に成型されて、貝（６）の孔への基材（１）及び貝止め突起（２）の差し込み時に貝止め突起（２）が貝（６）の孔の内周面により押し倒されて基材（１）の軸方向中央側に押されると、落下防止突起（９）が受け凹部（１１）に嵌合可能であることを特徴とする貝係止具。
【請求項７】
ロープと貝にあけた孔に差し込み可能な細長の基材（１）が貝止め突起（２）と第一ロープ止め突起（３）を備え、貝止め突起（２）は基材（１）の軸方向端部（５）側から第一ロープ止め突起（３）側に突設され、貝止め突起（２）の一又は二以上の箇所に基材（１）側又はそれと反対側に曲がった抜け止片（４０）を備え、これら基材（１）、貝止め突起（２）、第一ロープ止め突起（３）が樹脂で一体成型されたことを特徴とする貝係止具。
【請求項８】
請求項７記載の貝係止具において、貝止め突起（２）における抜け止片（４０）の曲がり部（４１）の幅方向両側又は一側に内側に窪んだ幅狭部分（４０ａ）が形成されたことを特徴とする貝係止具。
【請求項９】
請求項７又は請求項８記載の貝係止具において、抜け止片（４０）の曲がり部（４１）の内面又は外面が肉薄に形成されたことを特徴とする貝係止具。
【請求項１０】
請求項１乃至請求項９のいずれかに記載の貝係止具において、貝止め突起（２）の先端より先方に一又は二以上の細い又は薄い抜け止部（４）が突設されたことを特徴とする貝係止具。
【請求項１１】
請求項１乃至請求項１０のいずれかに記載の貝係止具に、第二ロープ止め突起（１３）が第一ロープ止め突起（３）と反対方向に突出して成型され、第二ロープ止め突起（１３）は第一ロープ止め突起（３）の根元に又は先端よりも内側に突設されたことを特徴とする貝係止具。
【請求項１２】
請求項１乃至請求項１１のいずれかに記載の貝係止具が多数本平行に間隔をあけて配置され、且つ多数本の貝係止具の軸方向両端部が剛性連結材（２１）で連結されて成型されたことを特徴とする集合貝係止具。
【請求項１３】
請求項１乃至請求項１１のいずれかに記載の貝係止具が多数本平行に間隔をあけて配置され、且つ多数本の貝係止具の基材（１）間がロール状に巻回可能な可撓性連結材（２５）で連結されて成型されたことを特徴とする連続貝係止具。
【請求項１４】
請求項１１記載の貝係止具が多数本平行に間隔をあけて配置され、且つ隣接する貝係止具の第一ロープ止め突起（３）と第二ロープ止め突起（１３）がロール状に巻回可能な可撓性連結材（２５）で連結されて成型されたことを特徴とする連続貝係止具。
【請求項１５】
請求項１３又は請求項１４記載の連続貝係止具がロール状に巻かれたことを特徴とするロール状連続貝係止具。
【請求項１６】
請求項１３又は請求項１４記載の連続貝係止具がシート（１８）を宛がってロール状に巻かれて、巻層間にシート（１８）が介在されたことを特徴とするロール状連続貝係止具。
【発明の詳細な説明】
【技術分野】
【０００１】
本発明は帆立貝、真珠貝、牡蠣、その他の貝の養殖に使用されるピン状の貝係止具と、数十本の貝係止を一定間隔で成型した集合貝係止具と、数千〜数万本のロール状に巻回可能に連続成型した連続貝係止具と、連続貝係止具をロール状に巻いたロール状連続貝係止具に関するものである。
【背景技術】
【０００２】
帆立貝の養殖方法の一つとして図２１に示す耳吊養殖がある。これは海面近くに横向きに張った横ロープ（図示せず）に、帆立貝を取付けた縦ロープＣを縦向きに取り付けて海中に吊るす方法である。縦ロープＣへの帆立貝の取付けにはピン状の貝係止具Ｄが使用されている。図２１に示す貝係止具は樹脂成型されており、細長な基材Ａの両端に貝止め突起Ｇがあり、その内側にロープ止め突起Ｅがある。貝係止具は縦ロープＣに差し込み、貝Ｂにあけた孔に差し込んで貝Ｂを貝止め突起Ｇに係止する（特許文献１）。
【０００３】
【特許文献１】特開２００４−２０８６１９
【発明の開示】
【発明が解決しようとする課題】
【０００４】
海中に吊られた貝が波を受けて貝係止具Ｄを軸として回転したり、揺れたりすると、貝係止具Ｄの貝止め突起Ｇが捩れて基材Ａの窪み（寝床）Ｉの上に倒伏し、貝Ｂが貝係止具Ｄの貝止め突起Ｇを乗り越えて矢印ａ方向に抜け落ちることがあり、養殖の歩留りが低下し、養殖業者の収益が減収する。
【課題を解決するための手段】
【０００５】
本発明は、貝止め突起が切断したり、倒伏したりしにくく、貝が抜け落ちないようにした貝係止具を提供するものである。
【０００６】
本発明の請求項１記載の貝係止具は、ロープと貝にあけた孔に差し込み可能な細長の基材１と、貝止め突起２と、第一ロープ止め突起３を備え、貝止め突起２は基材１の軸方向端部５側から第一ロープ止め突起３側に突設され、貝止め突起２の幅方向一側方又は両側方に貝止め突起２の幅方向内側に窪んでその幅を狭くした窪み部３０を形成して窪み部３０の内側に幅の狭い幅狭部３０ａを形成し、窪み部３０は貝止め突起２の長手方向に一又は二以上設けられ、窪み部３０は直線状に又は曲線状に窪ませ、これら基材１、貝止め突起２、第一ロープ止め突起３が樹脂で一体成型されたものである。
【０００７】
本発明の請求項２記載の貝係止具は、請求項１記載の貝係止具において、貝止め突起２における窪み部３０の内側の幅狭部３０ａの内面又は外面を肉薄にして、幅狭部３０ａを肉薄に形成された内面側又は外面側に曲がり易くしたものである。
【０００８】
本発明の請求項３記載の貝係止具は、ロープと、ロープと貝にあけた孔とに差し込み可能な細長の基材１が貝止め突起２と第一ロープ止め突起３とを備え、貝止め突起２は基材１の軸方向端部５側から第一ロープ止め突起３側に突設され、貝止め突起２の外面２ａと内面２ｂの双方又はいずれか一方に肉薄の折れ曲がり部１２が一又は二以上形成され、その折れ曲がり部１２は貝止め突起２の幅方向に沿って形成されたものである。
【０００９】
本発明の請求項４記載の貝係止具は、ロープと、貝にあけた孔とに差し込み可能な細長の基材１が貝止め突起２と第一ロープ止め突起３とを備え、基材１のうち貝止め突起２の内面に、貝６の孔への基材１及び貝止め突起２の差し込み時に貝止め突起２が倒伏する寝床１０が設けられ、貝止め突起２は基材１の軸方向端部５側から第一ロープ止め突起３側に突設され、貝止め突起２の内面２ｂに落下防止突起９が一又は二以上突設され、これら基材１、貝止め突起２、第一ロープ止め突起３、落下防止突起９が樹脂で一体成型されたものである。
【００１０】
本発明の請求項５記載の貝係止具は、ロープと、貝にあけた孔とに差し込み可能な細長の基材１が貝止め突起２と第一ロープ止め突起３とを備え、基材１のうち貝止め突起２の内面に、貝６の孔への基材１及び貝止め突起２の差し込み時に貝止め突起２が倒伏する寝床１０が設けられ、貝止め突起２は基材１の軸方向端部５側から第一ロープ止め突起３側に突設され、貝止め突起２の内面２ｂに落下防止突起９が一又は二以上突設され、寝床１０に貝止め突起２の倒伏時に落下防止突起９が嵌合可能な受け凹部１１が一又は二以上突設され、これら基材１、貝止め突起２、第一ロープ止め突起３、落下防止突起９、受け凹部１１が樹脂で一体成型されたものである。
【００１１】
本発明の請求項６記載の貝係止具は、請求項５記載の貝係止具において、受け凹部１１は落下防止突起９よりも僅かに基材１の軸方向中央部寄りの位置に成型されて、貝６の孔への基材１及び貝止め突起２の差し込み時に貝止め突起２が貝６の孔の内周面により押し倒されて基材１の軸方向中央側に押されると、落下防止突起９が受け凹部１１に嵌合可能であるものである。
【００１２】
本発明の請求項７記載の貝係止具は、ロープと貝にあけた孔に差し込み可能な細長の基材１が貝止め突起２と第一ロープ止め突起３を備え、貝止め突起２は基材１の軸方向端部５側から第一ロープ止め突起３側に突設され、貝止め突起２の一又は二以上の箇所に基材１側又はそれと反対側に曲がった抜け止片４０を備え、これら基材１、貝止め突起２、第一ロープ止め突起３が樹脂で一体成型されたものである。
【００１３】
本発明の請求項８記載の貝係止具は、請求項７記載の貝係止具において、貝止め突起２における抜け止片４０の曲がり部４１の幅方向両側又は一側に内側に窪んだ幅狭部分４０ａが形成されたものである。
【００１４】
本発明の請求項９記載の貝係止具は、請求項７又は請求項８記載の貝係止具において、抜け止片４０の曲がり部４１の内面又は外面が肉薄に形成されたものである。
【００１５】
本発明の請求項１０記載の貝係止具は、請求項１乃至請求項９のいずれかに記載の貝係止具において、貝止め突起２の先端より先方に一又は二以上の細い又は薄い抜け止部４が突設されたものである。
【００１６】
本発明の請求項１１記載の貝係止具は、請求項１乃至請求項１０のいずれかに記載の貝係止具に、第二ロープ止め突起１３が第一ロープ止め突起３と反対方向に突出して成型され、第二ロープ止め突起１３は第一ロープ止め突起３の根元に又は先端よりも内側に突設されたものである。
【００１７】
本発明の請求項１２記載の集合貝係止具は、請求項１乃至請求項１１のいずれかに記載の貝係止具が多数本平行に間隔をあけて配置され、且つ多数本の貝係止具の軸方向両端部が剛性連結材２１で連結されて成型されたものである。
【００１８】
本発明の請求項１３記載の連続貝係止具は、請求項１乃至請求項１１のいずれかに記載の貝係止具が多数本平行に間隔をあけて配置され、且つ多数本の貝係止具の基材１間がロール状に巻回可能な可撓性連結材２５で連結されて成型されたものである。
【００１９】
本発明の請求項１４記載の連続貝係止具は、請求項１１記載の貝係止具が多数本平行に間隔をあけて配置され、且つ隣接する貝係止具の第一ロープ止め突起３と第二ロープ止め突起１３がロール状に巻回可能な可撓性連結材２５で連結されて成型されたものである。
【００２０】
本発明の請求項１５記載のロール状連続貝係止具は、請求項１３又は請求項１４記載の連続貝係止具がロール状に巻かれたものである。
【００２１】
本発明の請求項１６記載のロール状連続貝係止具は、請求項１３又は請求項１４記載の連続貝係止具がシート１８を宛がってロール状に巻かれて、巻層間にシート１８が介在されたものである。
【発明の効果】
【００２２】
本発明の請求項１記載の貝係止具は、前記貝止め突起の幅方向一側方又は両側方にその幅を狭くする窪み部を貝止め突起の長手方向に一又は二以上設け、窪み部を直線状に又は曲線状に窪ませたので、海中に吊るしてある間に、貝止め突起が幅の狭い窪み部から内側又は外側に首折れ状態に曲がり易くなり、曲がるとその部分よりも先端側が邪魔して貝が脱落しにくくなる。
【００２３】
本発明の請求項２記載の貝係止具は、貝止め突起における窪み部の内側の幅狭部の内面又は外面を肉薄にして、幅狭部を肉薄に形成された内面側又は外面側に曲がり易くしたので、貝止め突起が幅の狭い窪み部から内側又は外側により一層首折れ状態に曲がり易くなり、曲がるとその部分よりも先端側が邪魔して貝が脱落しにくくなる。
【００２４】
本発明の請求項３記載の貝係止具は、前記貝止め突起の外面と内面の双方又はいずれか一方に肉薄の折れ曲がり部を一又は二以上形成したので、海中に吊るしてある間に、貝止め突起が折れ曲がり部から内側又は外側に首折れ状態に曲がり易くなり、曲がるとその部分よりも先端側が邪魔して貝が脱落しにくくなる。
【００２５】
本発明の請求項４記載の貝係止具は、貝６の孔への基材１及び貝止め突起２の差し込み時に貝止め突起２が倒伏する寝床１０を設け、貝止め突起の内面に落下防止突起を一又は二以上突設したので、貝の孔に基材と貝止め突起を差し込むときは、貝止め突起が貝の孔の内周面で押されて基材の寝床１０の上に倒伏するため、落下防止突起があっても基材と貝止め突起を貝の孔に差し込む際に障害にならず、スムースに差し込み可能であり、しかも、貝止め突起は貝の孔を貫通すると自動的に復元して外側に起立するため、貝が倒伏した貝止め突起を乗り越えて抜け落ちることは無い。落下防止突起が二以上形成された場合は、貝が倒伏した貝止め突起を乗り越えて抜け落ちることは一層難しくなる。
【００２６】
本発明の請求項５記載の貝係止具は、前記貝止め突起の内面に落下防止突起を一又は二以上突設し、基材に形成された寝床に貝止め突起の倒伏時に落下防止突起を嵌合可能な受け凹部を一又は二以上突設したので、貝の孔に基材と貝止め突起を差し込むときは、貝止め突起が貝の孔の内周面で押されて基材の上に倒伏し強制的に落下防止突起が受け凹部内に嵌合させられるため、基材と貝止め突起を貝の孔に差し込む際に障害にならず、スムースに差し込み可能である。しかも、貝止め突起は貝の孔を貫通すると自動的に復元して外側に起立するため、貝止め突起の落下防止突起が受け凹部内に嵌合しにくくなり、貝が、倒伏した貝止め突起を乗り越えて抜け落ちることは無い。落下防止突起及び受け凹部が二以上形成された場合は、特に、二以上の落下防止突起が二以上の受け凹部内に同時に嵌合することは難しく、貝が倒伏した貝止め突起を乗り越えて抜け落ちることは一層難しくなる。
【００２７】
本発明の請求項６記載の貝係止具は、受け凹部を落下防止突起よりも僅かに基材の軸方向中央部寄りの位置に成型してあるので、貝の孔への基材及び貝止め突起の差し込み時には貝止め突起が貝の内周面で倒されると共に基材の軸方向中央側に押されるため、落下防止突起が受け凹部に強制的に嵌合させられて貝止め突起が基材の上に確実に倒伏し、貝の孔への基材と貝止め突起の差し込む際に障害にならず、スムースに差し込み可能である。しかも、貝止め突起が貝の孔を貫通してから貝止め突起が基材に倒伏しただけでは落下防止突起が受け凹部内に嵌合しにくいため、貝が貝止め突起を乗り越えて抜け落ちることが無い。
【００２８】
本発明の請求項７記載の貝係止具は、抜け止部が貝止め突起の一又は二以上の箇所に基材側又はそれと反対側に曲がった抜け止片を備えているので、貝の孔に基材の先端部及び貝止め突起を貫通した後は、抜け止部が邪魔になり貝が脱落しない。
【００２９】
本発明の請求項８記載の貝係止具は、抜け止片の曲がり部の幅方向両側又は一側に内側に窪んだ幅狭部分が形成されたので、貝の孔に基材の先端部及び貝止め突起を貫通するときに抜け止部が幅狭部分から曲がり易くなり、抜け止部が邪魔になることなく貝の孔に基材の先端部及び貝止め突起がスムースに貫通し、貫通してからは抜け止部が邪魔になり貝が脱落しない。
【００３０】
本発明の請求項９記載の貝係止具は、抜け止片の曲がり部の内面又は外面を肉薄に形成したので、貝の孔に基材の先端部及び貝止め突起を貫通するときに抜け止片が肉薄部分からより一層曲がり易くなり、抜け止片が邪魔になることなく貝の孔に基材の先端部及び貝止め突起がより一層スムースに貫通し、貫通してからは抜け止部が邪魔になり貝が脱落しない。
【００３１】
本発明の請求項１０記載の貝係止具は、前記貝係止具の貝止め突起に、その先端より先方に突設する細い又は薄い抜け止部を一又は二以上設けたので、前記した貝脱落防止効果に加えて、抜け止部による貝脱落防止効果もあるため、貝の脱落を確実に防止できる。
【００３２】
本発明の請求項１１記載の貝係止具は、貝係止具の基材に第二ロープ止め突起を第一ロープ止め突起と反対方向に突設して成型し、第二ロープ止め突起を第一ロープ止め突起の根元又は先端よりも内側に突設したので、第一ロープ止め突起の傾斜角度θを図２２（ｂ）のように小さくして、ロープ止め突起Ｅの根元間の間隔Ｍを図２２（ａ）の間隔ｍより広くしても、ロープに差し込まれた貝係止具のスライド幅（左右へのずれ幅）が第二ロープ止め突起により規制されて小さくなり、貝係止具が位置ずれしにくくなる。このため、第一ロープ止め突起がロープへ衝突しにくくなり、第一ロープ止め突起の折損が無く、貝係止具がロープから抜けて脱落することがなく、養殖貝の歩留まりが向上する。
【００３３】
本発明の請求項１２記載の集合貝係止具は、前記貝係止具を多数本平行に間隔をあけて配置し、且つ多数本の貝係止具の軸方向端部を剛性連結材で連結して成型したので、多数枚を横向きにして上下に重ねたり、縦向きにして前後或は左右に並べたりして、切断差し込み機（通称：ピンセッター）にセットして、貝係止具を１本ずつ切断しながらロープに差し込むことができ、ロープへの差し込みが自動化され、作業性が向上する。この場合、多数本の貝係止具を同じ向きにして連結すれば、一本ずつ分離してロープに差し込む場合に貝係止具の方向が揃い、ロープへの差し込み、貝への差し込みなどの作業がし易くなる。剛性連結材での連結であるため、集合貝係止具をピン自動切断差し込み機にセットして一本ずつ切断して差し込むときに、集合貝係止具を自動送りしても隣接する貝係止具の間隔や集合貝係止具全体の形状が変化することが無く、切断、差し込み作業が安定する。
【００３４】
本発明の請求項１３、１４記載の連続貝係止具は、前記貝係止具を多数本平行に間隔をあけて配置し、且つ多数本の貝係止具の基材間をロール状に巻回可能な可撓性連結材で連結したので次のような効果がある。
（１）貝係止具が数千、数万本と多くなっても、ロール状に巻回して保管、搬送、ピンセッターへのセットができ、コンパクトにまとまるため保管に場所をとらず取り扱いに便利である。
（２）可撓性連結材を薄肉片にすれば貝係止具の分離が容易になり、ロール状に巻き易くもなる。数十ｍ以上長く連続成型された連結貝係止具は、保管や運搬の仕方によっては貝係止具のロープ止め突起同士が絡まったり、貝止め突起同士が絡まったり、基材の端部が曲がったりして、引き出しにくいとか、一本ずつ分離しにくくなることがあるが、保護シートがあるためそのようなことはない。
【００３５】
本発明の請求項１５記載のロール状連続貝係止具は、前記連続貝係止具に巻いたので次のような効果がある。
連続貝係止具をボビンにロール状に巻いたロール状連続貝係止具の場合は、ボビンを回転軸にセットして連結貝係止具をボビンから引き出すことができるため、ボビンの回転が円滑になり、貝係止具の１本ずつの切断、切断した貝係止具のロープへの差し込みがスムースに行われる。ボビンに鍔があるため貝係止具をロール状に巻いた鍔を重ねて保管したり、収納したりすることができ、取り扱いに便利である。
【００３６】
本発明の請求項１６記載のロール状連続貝係止具は、保護シートを介在させてロール状に巻いたため、連結されている多数の貝係止具同士が絡まり合うことがなく、連結貝係止具の巻き戻し(引き出し)がスムースになり、自動ピンセッターなどへのセットが容易になり、使い易くなる。
【発明を実施するための最良の形態】
【００３７】
（貝係止具の基本形態の一例の説明）
本発明の貝係止具の基本形態を図１（ａ）〜（ｄ）を参照して説明する。これら図の貝係止具は海中に吊るす図６(ｂ）の縦ロープ及び図６(ａ）のように貝６の耳にあけた孔６ｂに差し込み可能なピン形状の基材１のほぼ中央部に第一ロープ止め突起３が２本突設され、第一ロープ止め突起３よりも外側の両端部（差し込み端部）５寄りには貝の抜けを規制する貝止め突起２が突設され、これら基材１、貝止め突起２、第一ロープ止め突起３が一体に樹脂成型されている。
【００３８】
基材１の形状は丸ピン、角ピン、他の形状のピンとすることができる。図１の基材１は両端部（差し込み端部）５を先細りに成型して貝６の孔６ｂに差し込み易くしてある。基材１のうち貝止め突起２と対向する内面には、基材１の中央部の外周面よりも一段低い凹部（寝床）１０を設けて、貝止め突起２をその根元部分から基材１側に押し倒すと、貝止め突起２が寝床１０内に伏して倒れ（倒伏し）て、貝止め突起２と寝床１０が重なって輪郭が円形になるようにしてある。これにより貝止め突起２は貝係止具を基材１の軸方向一端から縦ロープに差し込むときも、貝の耳にあけた孔に差し込むときも、押し倒されて寝床１０内に倒れて貝止め突起２が縦ロープ内を貫通し易くなる。また、差し込み時に倒れた貝止め突起２は縦ロープを貫通し終えたときも、貝の孔を貫通し終えたときも、自己の弾性と復元力で自動的に起立して倒れる前の元の状態に復元できるようにしてある。
【００３９】
第一ロープ止め突起３は縦ロープに差し込んだ貝係止具が縦ロープから抜けるのを阻止するためのものであり、基材１の外周の同方向に二本突設され、互いに内向き斜めに突設されてハ字状になっている。第一ロープ止め突起３は基材１の長手方向中央部の外径よりもやや細い丸棒状であるが、それ以外の形状、例えば、三角や四角の棒状とか、楕円形の棒状等であってもよく、太さもそれ以外であってもよい。二本の貝止め突起２は図１０（ａ）のように互いに反対方向に斜めに突設することも、図１０（ｂ）のように互いに同じ方向であるが貝止め突起２とは反対方向に突設することもできる。
【００４０】
貝止め突起２は図１（ａ）に明示するように、その立ち上がり部分（根元部分）側から先端部まで斜め外側に向けて突設され、更に、外面２ａ側に反り返るよう湾曲させて、貝止め突起２に係止された貝が抜けにくくなるようにしてある。また、図１（ｃ）のように貝止め突起２の根元内側部分２ｄは円弧状に湾曲させて、貝止め突起２に貝の荷重が加わってもその荷重が貝止め突起２の根元内側部分２ｄに伝わりにくくなって、根元内側部分２ｄが切れにくくなるようにしてある。図１（ａ）〜（ｄ）の貝止め突起２は薄板状に成型されているが、貝止め突起２は倒伏・復元可能な弾性のある丸棒状とか外面が円弧状の半円形とか、その他の形状とすることもできる。貝止め突起２は図１（ｄ）のように基材１の軸方向一端部に反対方向に２枚ずつ突設することもできる。
【００４１】
（本発明の貝係止具の実施の形態１）
本発明の貝係止具の実施形態１を図３（ａ）を参照して説明する。この貝係止具は、貝止め突起２の両側方に、その幅方向内側に窪んで幅を狭くする窪み部３０を形成したものである。窪み部３０は幅方向一側方のみに形成することもできる。また、両側方に形成する場合は、両側の窪み部３０の位置を貝止め突起２の軸方向に少しずらすこともできる。窪み部３０を設けることにより、海中に吊るしてある間に、貝止め突起２が幅の狭い部分から内側又は外側に首折れ状態に曲がり易くなり、曲がるとその部分よりも先端側が邪魔して貝が脱落しにくくなる。窪み部３０の位置を貝止め突起２の軸方向に少しずらして設けた場合は、貝止め突起２が幅の狭い部分から曲がり易くなり、しかも、両側方の同じ位置に設けた場合よりも貝止め突起２における窪み部間の幅が狭くなるため、その部分の強度も低下しない。図示した窪み部３０は貝止め突起２の両側面にその長手方向に沿って三個ずつ設けてあるが、両側面又は片側面に一以上設ければよい。窪み部３０は直線状（Ｖ字状）に凹陥させてあるが、曲線状（例えばＵ字状）に湾曲させて窪ませることもできる。この場合、貝止め突起２における窪み部３０の内側の幅狭部３０ａの内面又は外面を肉薄にして、幅狭部３０ａを肉薄部分から内面側又は外面側に曲がり易くすることもできる。
【００４２】
（貝係止具の実施の形態２）
本発明の貝係止具の実施形態２を、図３（ｂ）を参照して説明する。この貝係止具は、前記貝止め突起２の内面２ｂに肉薄の折れ曲がり部１２を、幅方向に細長に形成したものである。折れ曲がり部１２は貝止め突起２の外面２ａと内面２ｂの双方又は外面２ａだけに形成することもでき、いずれに形成した場合も二本以上形成することもできる。この場合も、海中に吊るしてある間に、貝止め突起が折れ曲がり部１２から内側又は外側に折れ易くなり、曲がるとその部分よりも先端側が邪魔して貝が脱落しにくくなる。図３（ｂ）の場合、基材１の寝床１０に突起１３が突設されている。これは寝床１０の補強用であり、貝止め突起２が寝床１０の上に倒伏したときに、折れ曲がり部１２が被さる位置に形成してあるが、突起１３は必ずしも必要ではない。
【００４３】
（貝係止具の実施の形態３）
本発明の貝係止具の第３の実施の形態を図４（ａ）（ｂ）を参照して説明する。これらの図の貝係止具も基材１、貝止め突起２、第一ロープ止め突起３、落下防止突起９が一体に樹脂成型されている。これら図では貝止め突起２の内面先端部の幅方向中央部に半球状の落下防止突起９が基材１の寝床１０側に向けて突設され、寝床１０に受け凹部１１が形成されている。受け凹部１１は寝床１０をその幅方向に横切って幅方向両側に開口している。落下防止突起９と受け凹部１１の位置は貝止め突起２及び基材１を貝６の孔に差し込むことにより貝止め突起２が寝床１０の上に倒伏し、その孔の内周面で貝止め突起２がその先方に押された（しごかれた）ときは落下防止突起９が嵌合するが、貝止め突起２が寝床１０の上に倒伏しただけでは嵌合しない位置にして、貝止め突起２及び基材１が貝の孔を貫通した後に、貝止め突起２が寝床１０の上に倒伏しても落下防止突起９が受け凹部１１に嵌合できず、貝が貝止め突起２及び基材１を逆方向に乗り越えて脱落することがないようにするのが望ましい。
【００４４】
（貝係止具の実施の形態４）
本発明の貝係止具の第４の実施の形態を図４（ｃ）を参照して説明する。この貝係止具は基本的には図４（ａ）（ｂ）の貝係止具と同じ形状、構造であり、異なるのは、落下防止突起９を貝止め突起２の長手方向に複数個（３個）設け、受け凹部１１を基材１の長手方向に落下防止突起９と同じ数、同じ間隔で設けたことである。この場合も、落下防止突起９と受け凹部１１の位置は貝止め突起２及び基材１を貝の孔に差し込むことにより貝止め突起２が寝床１０の上に倒伏し、貝止め突起２が貝の孔の内周面で先方に押された（しごかれた）ときは落下防止突起９が嵌合するが、貝止め突起２が寝床１０の上に倒伏しただけでは嵌合しない位置にして、貝止め突起２及び基材１が貝の孔を貫通した後に、貝止め突起２が寝床１０の上に倒伏しても落下防止突起９が受け凹部１１に嵌合できず、貝が貝止め突起２及び基材１を逆方向に乗り越えて脱落することがないようにするのが望ましい。
【００４５】
（貝係止具の実施の形態５）
本発明の貝係止具の第５の実施の形態を図５（ａ）を参照して説明する。この貝係止具１は基本的には図４（ｂ）の貝係止具と同じであり、異なるのは、落下防止突起９を貝止め突起２の長手方向に細長の半割棒状にしたことである。この場合も、落下防止突起９と受け凹部１１の位置は、貝止め突起２及び基材１を貝の孔に差し込むことにより貝止め突起２が寝床１０の上に倒伏し、貝止め突起２が貝の孔の内周面でその先方に押された（しごかれた）ときは落下防止突起９が嵌合するが、貝止め突起２が寝床１０の上に倒伏しただけでは嵌合しない位置にして、貝止め突起２及び基材１が貝の孔を貫通した後に貝止め突起２が寝床１０の上に倒伏しても落下防止突起９が受け凹部１１に嵌合できず、貝が貝止め突起２及び基材１を逆方向に乗り越えて脱落することがないようにするのが望ましい。
【００４６】
（貝係止具の実施の形態６）
本発明の貝係止具の第６の実施の形態を図５（ｂ）を参照して説明する。この貝係止具は基本的には図５（ａ）の貝係止具と同じ形状、構造であり、異なるのは、落下防止突起９を貝止め突起２の長手方向に複数個（３個）設け、受け凹部１１を基材１の長手方向に落下防止突起９と同じ数、同じ間隔で設けたことである。この場合も、落下防止突起９と受け凹部１１の位置は貝止め突起２及び基材１を貝の孔に差し込むことにより貝止め突起２が寝床１０の上に倒伏し、貝止め突起２が貝の孔の内周面で先方に押された（しごかれた）ときは落下防止突起９が嵌合するが、貝止め突起２が寝床１０の上に倒伏しただけでは嵌合しない位置にして、貝止め突起２及び基材１が貝の孔を貫通した後に、貝止め突起２が寝床１０の上に倒伏しても落下防止突起９が受け凹部１１に嵌合できず、貝が貝止め突起２及び基材１を逆方向に乗り越えて脱落することがないようにするのが望ましい。
【００４７】
（貝係止具の実施の形態７）
本発明の貝係止具の第７の実施の形態を図５（ｃ）を参照して説明する。この貝係止具は基本的には図５（ａ）の貝係止具と同じであり、異なるのは、細長の半割棒状の落下防止突起９を貝止め突起２の長手方向に細長に突設し、貝止め突起２が寝床１０の上に倒伏したときに落下防止突起９が嵌合する受け凹部１１を基材１の横方向に開口させて成型したことである。
【００４８】
（本発明の貝係止具の実施の形態８）
本発明の貝係止具の実施形態８を、図６（ａ）を参照して説明する。この貝係止具は貝止め突起２の先端部の全幅又は幅の一部分を基材１側に向けて（内向きにして）斜めに、へ字状に曲げて抜け止片４０を形成したものである。抜け止片４０は図６（ｂ）のように貝止め突起２の先端部の全幅又は幅の一部分を基材１と反対側に向けて（外向きにして）斜めに、へ字状に曲げることもできる。いずれの場合も曲げ角度を急（鋭角）にすると、貝の孔に基材の先端部及び貝止め突起を貫通するときに抜け止部４が邪魔になって差し込みにくくなるため、図６（ａ）（ｂ）に示したような緩やかな角度（ほぼへ字状）に屈曲させると、基材１の先端部及び貝止め突起２を差し込み易く、しかも、貫通してから貝が脱落しにくくなる。また、図６（ａ）のように内側に曲げた抜け止片４０の曲がり部（屈曲部）４１、図６（ａ）のように外側に曲げた抜け止片４０の曲がり部４１を、図６（ｃ）（ｄ）のように幅方向両側に内側に窪む窪み部３０を形成して幅狭部分４０ａを形成すれば、基材１の先端部の抜け止片４０から貝止め突起２を差し込むときに、曲がっている抜け止部４が幅狭部分４０ａから逆方向に戻って貝止め突起２が根元から先端部まで真っ直ぐになり易くなり、基材１の先端部及び貝止め突起２を差し込み易くなる。しかも貫通後は真っ直ぐになる前の屈曲状態に自動的に戻って復元して屈曲するため貝が脱落しにくくなる。幅狭部分４０ａは貝止め突起２の幅方向片側だけに形成することもできる。この場合、図６（ａ）の屈曲部分４１の内側に図７（ａ）のように肉薄部２ｃを形成したり、図６（ｂ）の屈曲部分４１の外側に図７（ｂ）のように肉薄部２ｃを形成したり、図６（ｃ）の屈曲部分４１の内側に図７（ｃ）のように肉薄部２ｃを形成したりすることもできる。図７（ａ）のように肉薄にすれば、貝６の孔６ａへの基材１の先端部及び貝止め突起２の差し込み時に、抜け止部４が肉薄部２ｃから外側に曲がって真っ直ぐに伸び易くなるため差し込みが容易になり、差し込み後は抜け止片４０が肉薄部２ｃから自動的に内側に戻って（曲がって）下向きになるため貝６が抜けにくくなる。図７（ｂ）のように肉薄にすれば、貝の孔への基材１の先端部及び貝止め突起２の差し込み時に、抜け止片４０が肉薄部２ｃから内側に曲がって真っ直ぐに伸び易くなるため差し込みが容易になり、差し込み後は抜け止め片４０が肉薄部２ｃから自動的に外側に戻って（曲がって）上向きになるため、貝が抜けにくくなる。図６（ｃ）の場合は、屈曲部４１の外側を肉薄にすることもできる。図示したいずれの場合も抜け止め部４は貝止め突起２の幅方向全体に形成してあるが、幅方向左右のいずれか側のみ、或いは幅方向中央のみ、或いは幅方向両側のみに形成することもできる。
【００４９】
抜け止め片４０は図８（ａ）〜（ｄ）のように、貝止め突起２の長手方向（軸方向）中央部から屈曲させて形成することもできる。この場合も、図９（ａ）〜（ｃ）のように抜け止片４０の屈曲部分４１の内側又は外側に肉薄部２ｃを形成することができる。抜け止片４０の形成位置は貝止め突起２であれば他の箇所に形成することもできる。抜け止片４０の形状、大きさ、曲げ角度等は所望のものとすることができる。
【００５０】
（貝係止具の実施の形態９）
本発明の実施の形態９の貝係止具は図１８（ａ）のように、基材１の第一ロープ止め突起３の反対側に第二ロープ止め突起１３を突設したものでもよい。第二ロープ止め突起１３は第一ロープ止め突起３よりも短くしてあり、第一ロープ止め突起３の根元の内側で、第一ロープ止め突起３の先端とほぼ同じ位置に同じ間隔で突設されている。
【００５１】
（貝係止具の実施の形態１０）
本発明の実施の形態１０の貝係止具は図１９（ａ）のように、基材１の第一ロープ止め突起３の内側を台形状に第一ロープ止め突起３側に突出させ、その凹陥部１５の内側に第二ロープ止め突起１３を突設したものでもよい。この場合も、第二ロープ止め突起１３は第一ロープ止め突起３よりも短くして凹陥部１５の内側に突出するか、凹陥部１５よりもわずかに外側まで突出する程度の長さにしてある。また、突設位置は第一ロープ止め突起３の根元の内側で、第一ロープ止め突起３の先端とほぼ同じ位置に突設されている。第二ロープ止め突起１３は前記実施形態のいずれかに記載の貝係止具に突設することもできる。
【００５２】
前記した各実施形態の貝係止具の貝止め突起２の先端又は抜け止片４０の先端には、図３（ｃ）、（ｄ）のような抜け止部４を形成することもできる。抜け止部４は貝止め突起２に係止された貝６の脱落を防止するためのものである。抜け止部４は基材１及び貝止め突起２とともに貝６の孔６ｂに差し込んで貫通させるものであるため、その差し込み時に障害とならないように薄片、細片、細紐、細糸といった細い形状、薄い形状にしてある。図３（ｃ）（ｄ）では丸紐にして、貝止め突起２の延長線上に直線状に突設してあるが、図１３（ａ）のように貝止め突起２の湾曲に沿って外側に湾曲させてもよく、図１３（ｂ）のように貝止め突起２の延長線上で内側に湾曲させることもできる。湾曲ではなく屈曲させることもできる。抜け止部４は図１３（ｂ）では貝止め突起２の幅方向中央部から突出させてあるが、貝止め突起２の幅方向両端側に突出させるとか、貝止め突起２と同じ幅で突出させることもできる。抜け止部４は図２（ａ）〜（ｃ）のように、貝６の蝶つがい６ａ側の段差部７の外側まで突出する長さにしてある。抜け止部４は貝止め突起２に二本以上設けることもできる。この場合は、図３（ａ）のように貝止め突起２の幅方向に間隔をあけて設けてもよく、図３（ｃ）のように貝止め突起２の肉厚方向に間隔をあけて設けてもよい。
【００５３】
（集合貝係止具の実施の形態１）
本発明の集合貝係止具は、図１５に示すように図６（ａ）の貝係止具を、間隔をあけて多数本平行に配置し、それら貝係止具の両端をレール状の剛性連結材２１で連結して樹脂成型して、一枚の集合貝係止具としたものである。剛性連結材２１は角棒状であり、太くして剛性を持たせて、隣接する貝係止具の間隔を変形しにくくすると共に、全体も変形しにくくしてある。剛性連結材２１は角棒以外の形状とすることができる。
【００５４】
（集合貝係止具の実施の形態２）
本発明の集合貝係止具の第２の実施形態を図１６に基づいて説明する。この集合貝係止具の基本的形状は図１５の集合貝係止具と同じであり、異なるのは、各貝止め突起２の端部５を剛性連結材２１で連結すると共に、各貝止め突起２の先端部５と剛性連結材２１の間に、端部５よりも大径の円盤状の突起２３を設けたことである。この突起２３は集合貝係止具をピンセッターにセットして貝係止具を１本分ずつ移動させて、貝係止具を１本ずつ切断分離するときに、ギヤ送りするための係止部である。集合する貝係止具の本数は任意とすることができるが、作業性、形状保持性等の面から２０〜３０本程度が望ましい。
【００５５】
本発明の集合貝係止具は前記貝係止具の実施形態のいずれかに記載の貝係止具を図１２、図１３のように間隔をあけて多数本平行に配置し、それら貝係止具の両端をレール状の剛性連結材２１で連結して樹脂成型することもできる。
【００５６】
（連続貝係止具の実施の形態１）
本発明の連続貝係止具は、図１７（ａ）のように図６（ａ）の貝係止具を、間隔をあけて数千〜数万本平行に配置し、それら貝係止具のロープ止め突起３と貝止め突起２の間を丸紐状の可撓性連結材２５で連結して樹脂成型して、ロール状に巻くことができるようにしたものである。
【００５７】
（連続貝係止具の実施の形態２）
本発明の連続貝係止具は、図１７（ｂ）のように図６（ａ）の貝係止具を、間隔をあけて数千〜数万本平行に配置し、それら貝係止具の２本のロープ止め突起３の間を薄い平紐の可撓性連結材２５で連結成型してロール状に巻くことができるようにしてある。可撓性連結材２５は、ロール状に巻くことができるものであれば他の形状とすることができる。
【００５８】
（連続貝係止具の実施の形態３）
本発明の連続貝係止具の第３の実施形態を図１８（ｂ）に基づいて説明する。この連続貝係止具は、貝止め突起２が図６（ａ）の構造である貝係止具に図１８（ａ）のように第二ロープ止め突起１３を設けた貝係止具を、間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００５９】
（連続貝係止具の実施の形態４）
本発明の連続貝係止具の第４の実施形態を図１９（ｂ）に基づいて説明する。この連続貝係止具は、貝止め突起２が図６（ａ）の構造である貝係止具の基材１を図１９（ａ）のように第一ロープ止め突起３側に台形状に曲げ、台形状の凹陥部１５に第二のロープ止め突起１３を設けた貝係止具を、間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００６０】
（ロール状連続貝係止具の実施の形態）
本発明のロール状連続貝係止具は、前記した連続貝係止具を図２０（ａ）のようにロール状に巻いたものである。この場合、連結貝係止具２７に帯状のシート(シートより薄いフィルムを含む)１８を添わせてロール状に巻いて、連結貝係止具２７の間にシート１８を介在させてある。シート１８には障子紙のような帯状の紙とか、コピー用紙のような質、厚さの紙を帯状に長くしたものとか、帯状に長くした樹脂製のシート等を使用することができるが、使用後の廃棄処分の容易さから紙を使用するのが好ましい。シート１８は幅、長さ共に連結貝係止具２７のそれらと同程度のものが好ましいが、それより短いものを足しながら使用することもできる。本発明のロール状連続貝係止具はシート１８を介在させずに巻くこともできる。
【００６１】
本発明の連結貝係止具２７は図２０（ｂ）のように巻胴３１の両端に鍔３２を設けたボビン３３の巻胴３１にロール状に巻くこともできる。ボビン３３は肉厚の紙製、樹脂製、木製等とすることができる。紙製の場合は使い捨てに適し、樹脂製、木製等の場合は再使用するのに適する。ボビン３３に巻く連結貝係止具２７の間にはシート１８を介在させても、介在させなくともよい。
【００６２】
本発明の連結貝係止具の使用方法は種々あるが、一例としてはロール状に巻いた連結貝係止具２７をほどいてその一端を自動切断差し込み機にセットし、自動切断差し込み機により自動的に貝係止具１を一本ずつ切り離して縦ロープに差し込み、ロープ止め突起３で縦ロープから抜けないようにする。縦ロープに差し込んだ貝係止具の端部５を貝６の耳に開口してある孔６ｂに差し込んで、貝止め突起２をその孔６ｂを貫通させ、貝６の耳を貝止め突起２によって係止する。貝係止具の長手方向他端を同様に貝６の孔６ｂに差し込んで貝止め突起２に貝６の耳を係止する。
【図面の簡単な説明】
【００６３】
【図１】（ａ）〜（ｄ）は本発明の貝係止具の基本形状の説明図。
【図２】（ａ）は貝と抜け止部の位置関係を示す斜視説明図、（ｂ）は貝を本発明の貝係止具で縦ロープに吊り下げた状態の側面説明図、（ｃ）は（ｂ）の右側面図。
【図３】（ａ）〜（ｄ）は本発明の貝係止具の異なる例の斜視図。
【図４】（ａ）は本発明の貝係止具の異なる実施例の側面図、（ｂ）は（ａ）の斜視図、（ｃ）は本発明の貝係止具の異なる実施例の斜視図。
【図５】（ａ）〜（ｃ）は本発明の貝係止具の異なる実施例の斜視図。
【図６】（ａ）〜（ｃ）は本発明の貝係止具の異なる例の斜視図、（ｄ）は（ｃ）の貝係止具の平面図。
【図７】（ａ）〜（ｃ）は図６（ａ）〜（ｃ）の貝止め突起の屈曲部を肉薄にした状態の斜視図。
【図８】（ａ）〜（ｃ）は本発明の貝係止具の異なる例の斜視図、（ｄ）は（ｃ）の貝係止具の平面図。
【図９】（ａ）〜（ｃ）は本発明の貝係止具の異なる例の斜視図。
【図１０】（ａ）、（ｂ）は本発明の貝係止具の異なる例の側面図。
【図１１】本発明の貝係止具の異なる例の側面図。
【図１２】本発明の抜け止部を設けた貝係止具の異なる例の側面図。
【図１３】（ａ）は図１２Ａ部の詳細図、（ｂ）は（ａ）の左側面図。
【図１４】（ａ）（ｂ）は抜け止部の異なる例の側面説明図。
【図１５】本発明の集合貝係止具の一例の側面図。
【図１６】本発明の集合貝係止具の他の例の側面図。
【図１７】（ａ）、（ｂ）は本発明の連続貝係止具の異なる例の側面図。
【図１８】（ａ）は本発明の貝係止具の異なる実施例の側面図、（ｂ）は（ａ）の貝係止具を連続成型した連続貝係止具の側面図。
【図１９】（ａ）は本発明の貝係止具の異なる実施例の側面図、（ｂ）は（ａ）の貝係止具を連続成型した連続貝係止具の側面図。
【図２０】（ａ）は本発明のロール状連続貝係止具の一例の斜視図、（ｂ）はボビンに巻いたロール状連続貝係止具の一例の側面図。
【図２１】従来の貝係止具の使用の一例の斜視図。
【図２２】（ａ）は従来の貝係止具の説明図、（ｂ）は本発明の貝係止具の説明図。
【符号の説明】
【００６４】
１    貝係止具
２    貝止め突起
２ａ  貝止め突起の外面
２ｂ  貝止め突起の内面
２ｃ  抜け止め片の屈曲部に形成された肉薄部
３    第一ロープ止め突起
４    抜け止部
５    基材の端部
６    貝
７    連結片
９    落下防止突起
１０    寝床
１１    受け凹部
１２    折れ曲がり部
１３    第二ロープ止め突起
１５    凹陥部
１８    シート
２１    剛性連結材
２３    突起
２５    可撓性連結材
２７    連続貝係止具
３０    窪み部
３０ａ  幅狭部
３１    巻胴
３２    鍔
３３    ボビン
４０    抜け止片
４０ａ  幅狭部分
４１    屈曲部
【図１】
2006238870.tif 000003
【図２】
2006238870.tif 000004
【図３】
2006238870.tif 000005
【図４】
2006238870.tif 000006
【図５】
2006238870.tif 000007
【図６】
2006238870.tif 000008
【図７】
2006238870.tif 000009
【図８】
2006238870.tif 000010
【図９】
2006238870.tif 000011
【図１０】
2006238870.tif 000012
【図１１】
2006238870.tif 000013
【図１２】
2006238870.tif 000014
【図１３】
2006238870.tif 000015
【図１４】
2006238870.tif 000016
【図１５】
2006238870.tif 000017
【図１６】
2006238870.tif 000018
【図１７】
2006238870.tif 000019
【図１８】
2006238870.tif 000020
【図１９】
2006238870.tif 000021
【図２０】
2006238870.tif 000022
【図２１】
2006238870.tif 000023
【図２２】
2006238870.tif 000024
【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
ロープと貝にあけた孔に差し込み可能な細長の基材（１）が貝止め突起（２）と第一ロープ止め突起（３）を備え、貝止め突起（２）は基材（１）の軸方向端部（５）側から第一ロープ止め突起（３）側に突設され、貝止め突起（２）の一又は二以上の箇所に、前記突設角度よりも急な角度で基材（１）側又はそれと反対側に曲がった抜け止片（４０）が設けられ、これら基材（１）、貝止め突起（２）、第一ロープ止め突起（３）が樹脂で一体成型されたことを特徴とする貝係止具。
【請求項２】
請求項１記載の貝係止具において、貝止め突起（２）における抜け止片（４０）の曲がり部（４１）の幅方向両側又は片側に内側に窪んだ幅狭部分（４０ａ）が成型されたことを特徴とする貝係止具。
【請求項３】
請求項１又は請求項２記載の貝係止具において、抜け止片（４０）の曲がり部（４１）の外面（２ａ）と内面（２ｂ）の双方又はいずれか一方に、肉薄部（２ｃ）が成型されたことを特徴とする貝係止具。
【請求項４】
請求項１乃至請求項３のいずれかに記載の貝係止具において、貝止め突起（２）の先端より先方に一又は二以上の細い又は薄い抜け止部（４）が突設されたことを特徴とする貝係止具。
【請求項５】
請求項１乃至請求項４のいずれかに記載の貝係止具に、第二ロープ止め突起（１３）が第一ロープ止め突起（３）と反対方向に突出して成型され、第二ロープ止め突起（１３）は第一ロープ止め突起（３）の根元に又は先端よりも内側に突設されたことを特徴とする貝係止具。
【請求項６】
請求項１乃至請求項５のいずれかに記載の貝係止具の基材（１）が第一ロープ止め突起（３）側に凹陥して形成され、その凹陥部（１５）から第二ロープ止め突起（１３）が第一ロープ止め突起（３）と反対方向に突出して成型され、第二ロープ止め突起（１３）は第一ロープ止め突起（３）の根元に又は先端よりも内側に突設されたことを特徴とする貝係止具。
【請求項７】
請求項１乃至請求項６のいずれかに記載の貝係止具が多数本平行に間隔をあけて配置され、且つ多数本の貝係止具の軸方向両端部が剛性連結材（２１）で連結されて成型されたことを特徴とする集合貝係止具。
【請求項８】
請求項１乃至請求項６のいずれかに記載の貝係止具が多数本、間隔をあけてロール状に巻回可能な可撓性連結材（２５）で連結されて成型されたことを特徴とする連続貝係止具。
【請求項９】
請求項１乃至請求項６のいずれかに記載の貝係止具が多数本、間隔をあけてロール状に巻回可能な可撓性連結材（２５）で連結されて成型され、可撓性連結材（２５）は隣接する貝係止具の第一ロープ止め突起（３）と第二ロープ止め突起（１３）を連結することを特徴とする連続貝係止具。
【請求項１０】
請求項８又は請求項９記載の連続貝係止具がボビン（３３）に、又はボビンなしでロール状に巻かれたことを特徴とするロール状連続貝係止具。
【請求項１１】
請求項８又は請求項９記載の連続貝係止具がシート（１８）を宛がってロール状に巻かれて、巻層間にシート（１８）が介在されたことを特徴とするロール状連続貝係止具。
【手続補正２】
【補正対象書類名】明細書
【補正対象項目名】全文
【補正方法】変更
【補正の内容】
【発明の詳細な説明】
【技術分野】
【０００１】
本発明は帆立貝、真珠貝、牡蠣、その他の貝の養殖に使用されるピン状の貝係止具と、数十本の貝係止具を一定間隔で成型した集合貝係止具と、数千〜数万本のロール状に巻回可能に連続成型した連続貝係止具と、連続貝係止具をロール状に巻いたロール状連続貝係止具に関するものである。
【背景技術】
【０００２】
帆立貝の養殖方法の一つとして図２１に示す耳吊養殖がある。これは海面近くに横向きに張った横ロープ（図示せず）に、帆立貝を取付けた縦ロープＣを縦向きに取り付けて海中に吊るす方法である。縦ロープＣへの帆立貝の取付けにはピン状の貝係止具Ｄが使用されている。図２１に示す貝係止具は樹脂成型されており、細長な基材Ａの両端に貝止め突起Ｇがあり、その内側にロープ止め突起Ｅがある。貝係止具は縦ロープＣに差し込み、貝Ｂにあけた孔に差し込んで貝Ｂを貝止め突起Ｇに係止する（特許文献１）。
【０００３】
【特許文献１】特開２００４−２０８６１９
【発明の開示】
【発明が解決しようとする課題】
【０００４】
海中に吊られた貝が波を受けて貝係止具Ｄを軸として回転したり、揺れたりすると、貝係止具Ｄの貝止め突起Ｇが捩れて基材Ａの窪み（寝床）Ｉの上に倒伏し、貝Ｂが貝係止具Ｄの貝止め突起Ｇを乗り越えて矢印ａ方向に抜け落ちることがあり、養殖の歩留りが低下し、養殖業者の収益が減収する。
【課題を解決するための手段】
【０００５】
本発明は、貝止め突起が切断したり、倒伏したりしにくく、貝が抜け落ちないようにした貝係止具を提供するものである。
【０００６】
本発明の請求項１記載の貝係止具は、ロープと貝にあけた孔に差し込み可能な細長の基材１が貝止め突起２と第一ロープ止め突起３を備え、貝止め突起２は基材１の軸方向端部５側から第一ロープ止め突起３側に突設され、貝止め突起２の一又は二以上の箇所に、前記突設角度よりも急な角度で基材１側又はそれと反対側に曲がった抜け止片４０を備え、これら基材１、貝止め突起２、第一ロープ止め突起３が樹脂で一体成型されたものである。
【０００７】
本発明の請求項２記載の貝係止具は、請求項１記載の貝係止具において、貝止め突起２における抜け止片４０の曲がり部４１の幅方向両側又は片側に内側に窪んだ幅狭部分４０ａが成型されたものである。
【０００８】
本発明の請求項３記載の貝係止具は、請求項１又は請求項２記載の貝係止具において、抜け止片４０の曲がり部４１の外面２ａと内面２ｂの双方又はいずれか一方に、肉薄部２ｃが成型されたものである。
【０００９】
本発明の請求項４記載の貝係止具は、請求項１乃至請求項３のいずれかに記載の貝係止具において、貝止め突起２の先端より先方に一又は二以上の細い又は薄い抜け止部４が突設されたものである。
【００１０】
本発明の請求項５記載の貝係止具は、請求項１乃至請求項４のいずれかに記載の貝係止具において、第二ロープ止め突起１３が第一ロープ止め突起３と反対方向に突出して成型され、第二ロープ止め突起１３は第一ロープ止め突起３の根元に又は先端よりも内側に突設されたものである。
【００１１】
本発明の請求項６記載の貝係止具は、請求項１乃至請求項５のいずれかに記載の貝係止具の基材１が第一ロープ止め突起３側に凹陥して形成され、その凹陥部１５から第二ロープ止め突起１３が第一ロープ止め突起３と反対方向に突出して成型され、第二ロープ止め突起１３は第一ロープ止め突起３の根元に又は先端よりも内側に突設されたものである。
【００１２】
本発明の請求項７記載の集合貝係止具は、請求項１乃至請求項６のいずれかに記載の貝係止具が多数本平行に間隔をあけて配置され、且つ多数本の貝係止具の軸方向両端部が剛性連結材２１で連結されて成型されたものである。
【００１３】
本発明の請求項８記載の連続貝係止具は、請求項１乃至請求項６のいずれかに記載の貝係止具が多数本、間隔をあけてロール状に巻回可能な可撓性連結材２５で連結されて成型されたものである。
【００１４】
本発明の請求項９記載の連続貝係止具は、請求項１乃至請求項６のいずれかに記載の貝係止具が多数本、間隔をあけてロール状に巻回可能な可撓性連結材２５で連結されて成型され、可撓性連結材２５は隣接する貝係止具の第一ロープ止め突起３と第二ロープ止め突起１３を連結したものである。
【００１５】
本発明の請求項１０記載のロール状連続貝係止具は、請求項８又は請求項９記載の連続貝係止具がボビン３３に、又はボビンなしでロール状に巻かれたものである。
【００１６】
本発明の請求項１１記載のロール状連続貝係止具は、請求項８又は請求項９記載の連続貝係止具がシート１８を宛がってロール状に巻かれて、巻層間にシート１８が介在されたものである。
【００１７】
【００１８】
【００１９】
【００２０】
【００２１】
【発明の効果】
【００２２】
【００２３】
【００２４】
【００２５】
【００２６】
【００２７】
【００２８】
本発明の請求項１記載の貝係止具は、抜け止部が貝止め突起の一又は二以上の箇所に貝止め突起の突起角度よりも急な角度で基材側又はそれと反対側に曲がった抜け止片を備えているので、貝の孔に基材の先端部及び貝止め突起を貫通した後は、抜け止片が邪魔になり貝が脱落しない。
【００２９】
本発明の請求項２記載の貝係止具は、抜け止片の曲がり部の幅方向両側又は一側に内側に窪んだ幅狭部分が形成されたので、貝の孔に基材の先端部及び貝止め突起を貫通するときに抜け止部が幅狭部分から曲がり易くなり、抜け止部が邪魔になることなく貝の孔に基材の先端部及び貝止め突起がスムースに貫通し、貫通してからは抜け止片が邪魔になり貝が脱落しない。
【００３０】
本発明の請求項３記載の貝係止具は、抜け止片の曲がり部の内面又は外面を肉薄に形成したので、貝の孔に基材の先端部及び貝止め突起を貫通するときに抜け止片が肉薄部からより一層曲がり易くなり、抜け止片が邪魔になることなく貝の孔に基材の先端部及び貝止め突起がより一層スムースに貫通し、貫通してからは抜け止片が邪魔になり貝が脱落しない。
【００３１】
本発明の請求項４記載の貝係止具は、前記貝係止具の貝止め突起に、その先端より先方に突設する細い又は薄い抜け止部を一又は二以上設けたので、前記した貝脱落防止効果に加えて、抜け止部による貝脱落防止効果もあるため、貝の脱落を確実に防止できる。
【００３２】
本発明の請求項５、６記載の貝係止具は、貝係止具の基材に第二ロープ止め突起を第一ロープ止め突起と反対方向に突設して成型し、第二ロープ止め突起を第一ロープ止め突起の根元又は先端よりも内側に突設したので、第一ロープ止め突起の傾斜角度θを図２２（ｂ）のように小さくして、ロープ止め突起Ｅの根元間の間隔Ｍを図２２（ａ）の間隔ｍより広くしても、ロープに差し込まれた貝係止具のスライド幅（左右へのずれ幅）が第二ロープ止め突起により規制されて小さくなり、貝係止具が位置ずれしにくくなる。このため、第一ロープ止め突起がロープへ衝突しにくくなり、第一ロープ止め突起の折損が無く、貝係止具がロープから抜けて脱落することがなく、養殖貝の歩留まりが向上する。
【００３３】
本発明の請求項７記載の集合貝係止具は、前記貝係止具を多数本平行に間隔をあけて配置し、且つ多数本の貝係止具の軸方向端部を剛性連結材で連結して成型したので、多数枚を横向きにして上下に重ねたり、縦向きにして前後或は左右に並べたりして、切断差し込み機（通称：ピンセッター）にセットして、貝係止具を１本ずつ切断しながらロープに差し込むことができ、ロープへの差し込みが自動化され、作業性が向上する。この場合、多数本の貝係止具を同じ向きにして連結すれば、一本ずつ分離してロープに差し込む場合に貝係止具の方向が揃い、ロープへの差し込み、貝への差し込みなどの作業がし易くなる。剛性連結材での連結であるため、集合貝係止具をピン自動切断差し込み機にセットして一本ずつ切断して差し込むときに、集合貝係止具を自動送りしても隣接する貝係止具の間隔や集合貝係止具全体の形状が変化することが無く、切断、差し込み作業が安定する。
【００３４】
本発明の請求項８、９記載の連続貝係止具は、前記貝係止具を多数本平行に間隔をあけて配置し、且つ多数本の貝係止具の基材間をロール状に巻回可能な可撓性連結材で連結したので次のような効果がある。
（１）貝係止具が数千、数万本と多くなっても、ロール状に巻回して保管、搬送、ピンセッターへのセットができ、コンパクトにまとまるため保管に場所をとらず取り扱いに便利である。
（２）可撓性連結材を薄肉片にすれば貝係止具の分離が容易になり、ロール状に巻き易くもなる。数十ｍ以上長く連続成型された連続貝係止具は、保管や運搬の仕方によっては貝係止具のロープ止め突起同士が絡まったり、貝止め突起同士が絡まったり、基材の端部が曲がったりして、引き出しにくいとか、一本ずつ分離しにくくなることがあるが、保護シートがあるためそのようなことはない。
【００３５】
本発明の請求項１０記載のロール状連続貝係止具は、前記連続貝係止具をロール状に巻いたので次のような効果がある。
連続貝係止具をボビンにロール状に巻いたロール状連続貝係止具の場合は、ボビンを回転軸にセットして連続貝係止具をボビンから引き出すことができるため、ボビンの回転が円滑になり、貝係止具の１本ずつの切断、切断した貝係止具のロープへの差し込みがスムースに行われる。ボビンに鍔があるため貝係止具をロール状に巻いた鍔を重ねて保管したり、収納したりすることができ、取り扱いに便利である。
【００３６】
本発明の請求項１１記載のロール状連続貝係止具は、保護シートを介在させてロール状に巻いたため、連結されている多数の貝係止具同士が絡まり合うことがなく、連続貝係止具の巻き戻し(引き出し)がスムースになり、自動ピンセッターなどへのセットが容易になり、使い易くなる。
【発明を実施するための最良の形態】
【００３７】
（貝係止具の基本形態の一例の説明）
本発明の貝係止具の基本形態を図１（ａ）〜（ｄ）を参照して説明する。これら図の貝係止具は海中に吊るす図２(ｂ）の縦ロープ及び図６(ａ）のように貝６の耳にあけた孔６ｂに差し込み可能なピン形状の基材１のほぼ中央部に第一ロープ止め突起３が２本突設され、第一ロープ止め突起３よりも外側の両端部（差し込み端部）５寄りには貝の抜けを規制する貝止め突起２が突設され、これら基材１、貝止め突起２、第一ロープ止め突起３が一体に樹脂成型されている。
【００３８】
基材１の形状は丸ピン、角ピン、他の形状のピンとすることができる。図１の基材１は両端部（差し込み端部）５を先細りに成型して貝６の孔６ｂに差し込み易くしてある。基材１のうち貝止め突起２と対向する内面には、基材１の中央部の外周面よりも一段低い凹部（寝床）１０を設けて、貝止め突起２をその根元部分から基材１側に押し倒すと、貝止め突起２が寝床１０内に伏して倒れ（倒伏し）て、貝止め突起２と寝床１０が重なって輪郭が円形になるようにしてある。これにより貝止め突起２は貝係止具を基材１の軸方向一端から縦ロープに差し込むときも、貝の耳にあけた孔に差し込むときも、押し倒されて寝床１０内に倒れて貝止め突起２が縦ロープ内を貫通し易くなる。また、差し込み時に倒れた貝止め突起２は縦ロープを貫通し終えたときも、貝６の孔６ｂを貫通し終えたときも、自己の弾性と復元力で自動的に起立して倒れる前の元の状態に復元できるようにしてある。
【００３９】
第一ロープ止め突起３は縦ロープに差し込んだ貝係止具が縦ロープから抜けるのを阻止するためのものであり、基材１の外周の同方向に二本突設され、互いに内向き斜めに突設されてハ字状になっている。第一ロープ止め突起３は基材１の長手方向中央部の外径よりもやや細い丸棒状であるが、それ以外の形状、例えば、三角や四角の棒状とか、楕円形の棒状等であってもよく、太さもそれ以外であってもよい。二本の貝止め突起２は図１０（ａ）のように互いに反対方向に斜めに突設することも、図１０（ｂ）のように互いに同じ方向であるが貝止め突起２とは反対方向に突設することもできる。
【００４０】
貝止め突起２は図１（ａ）に明示するように、その立ち上がり部分（根元部分）側から先端部まで斜め外側に向けて突設され、更に、外面２ａ側に反り返るよう湾曲させて、貝止め突起２に係止された貝が抜けにくくなるようにしてある。また、図１（ｃ）のように貝止め突起２の根元内側部分２ｄは円弧状に湾曲させて、貝止め突起２に貝の荷重が加わってもその荷重が貝止め突起２の根元内側部分２ｄに伝わりにくくなって、根元内側部分２ｄが切れにくくなるようにしてある。図１（ａ）〜（ｄ）の貝止め突起２は薄板状に成型されているが、貝止め突起２は倒伏・復元可能な弾性のある丸棒状とか外面が円弧状の半円形とか、その他の形状とすることもできる。貝止め突起２は図１（ｄ）のように基材１の軸方向一端部に反対方向に２枚ずつ突設することもできる。
【００４１】
（貝係止具の実施の形態１）
本発明の貝係止具の実施形態１を、図３（ａ）を参照して説明する。この貝係止具は、貝止め突起２の両側方に、その幅方向内側に窪んで幅を狭くする窪み部３０を形成したものである。窪み部３０は幅方向一側方のみに形成することもできる。また、両側方に形成する場合は、両側の窪み部３０の位置を貝止め突起２の軸方向に少しずらすこともできる。窪み部３０を設けることにより、海中に吊るしてある間に、貝止め突起２が幅の狭い部分から内側又は外側に首折れ状態に曲がり易くなり、曲がるとその部分よりも先端側が邪魔して貝が脱落しにくくなる。窪み部３０の位置を貝止め突起２の軸方向に少しずらして設けた場合は、貝止め突起２が幅の狭い部分から曲がり易くなり、しかも、両側方の同じ位置に設けた場合よりも貝止め突起２における窪み部間の幅が狭くなるため、その部分の強度も低下しない。図示した窪み部３０は貝止め突起２の両側面にその長手方向に沿って三個ずつ設けてあるが、両側面又は片側面に一以上設ければよい。窪み部３０は直線状（Ｖ字状）に凹陥させてあるが、曲線状（例えばＵ字状）に湾曲させて窪ませることもできる。この場合、貝止め突起２における窪み部３０の内側の幅狭部３０ａの内面又は外面を肉薄にして、幅狭部３０ａを肉薄部分から内面側又は外面側に曲がり易くすることもできる。
【００４２】
（貝係止具の実施の形態２）
本発明の貝係止具の実施形態２を、図３（ｂ）を参照して説明する。この貝係止具は、前記貝止め突起２の内面２ｂに肉薄部２ｃを、幅方向に細長に形成したものである。肉薄部２ｃは貝止め突起２の外面２ａと内面２ｂの双方又は外面２ａだけに形成することもでき、いずれに形成した場合も二本以上形成することもできる。この場合も、海中に吊るしてある間に、貝止め突起２が肉薄部２ｃから内側又は外側に折れ易くなり、曲がるとその部分よりも先端側が邪魔して貝が脱落しにくくなる。図３（ｂ）の場合、基材１の寝床１０に突起１３が突設されている。これは寝床１０の補強用であり、貝止め突起２が寝床１０の上に倒伏したときに、肉薄部２ｃが被さる位置に形成してあるが、突起１３は必ずしも必要ではない。
【００４３】
【００４４】
【００４５】
【００４６】
【００４７】
【００４８】
（貝係止具の実施の形態３）
本発明の貝係止具の実施形態３を、図６（ａ）を参照して説明する。この貝係止具は貝止め突起２の先端部の全幅又は幅の一部分を基材１側に向けて（内向きにして）斜めに、へ字状に曲げて抜け止片４０を形成したものである。抜け止片４０は図６（ｂ）のように貝止め突起２の先端部の全幅又は幅の一部分を基材１と反対側に向けて（外向きにして）斜めに、へ字状に曲げることもできる。いずれの場合も曲げ角度を急（鋭角）にすると、貝の孔に基材の先端部及び貝止め突起を貫通するときに抜け止部４が邪魔になって差し込みにくくなるため、図６（ａ）（ｂ）に示したような緩やかな角度（ほぼへ字状）に屈曲させると、基材１の先端部及び貝止め突起２を差し込み易く、しかも、貫通してから貝が脱落しにくくなる。また、図６（ａ）のように内側に曲げた抜け止片４０の曲がり部（屈曲部）４１、図６（ｂ）のように外側に曲げた抜け止片４０の曲がり部４１を、図６（ｃ）（ｄ）のように幅方向両側に内側に窪む窪み部３０を形成して幅狭部分４０ａを形成すれば、基材１の先端部の抜け止片４０から貝止め突起２を差し込むときに、曲がっている抜け止部４が幅狭部分４０ａから逆方向に戻って貝止め突起２が根元から先端部まで真っ直ぐになり易くなり、基材１の先端部及び貝止め突起２を差し込み易くなる。しかも貫通後は真っ直ぐになる前の屈曲状態に自動的に戻って復元して屈曲するため貝が脱落しにくくなる。幅狭部分４０ａは貝止め突起２の幅方向片側だけに形成することもできる。この場合、図６（ａ）の曲がり部４１の内側に図７（ａ）のように肉薄部２ｃを形成したり、図６（ｂ）の曲がり部４１の外側に図７（ｂ）のように肉薄部２ｃを形成したり、図６（ｃ）の曲がり部４１の内側に図７（ｃ）のように肉薄部２ｃを形成したりすることもできる。図７（ａ）のように肉薄にすれば、貝６の孔６ａへの基材１の先端部及び貝止め突起２の差し込み時に、抜け止部４が肉薄部２ｃから外側に曲がって真っ直ぐに伸び易くなるため差し込みが容易になり、差し込み後は抜け止片４０が肉薄部２ｃから自動的に内側に戻って（曲がって）下向きになるため貝６が抜けにくくなる。図７（ｂ）のように肉薄にすれば、貝の孔への基材１の先端部及び貝止め突起２の差し込み時に、抜け止片４０が肉薄部２ｃから内側に曲がって真っ直ぐに伸び易くなるため差し込みが容易になり、差し込み後は抜け止め片４０が肉薄部２ｃから自動的に外側に戻って（曲がって）上向きになるため、貝が抜けにくくなる。図６（ｃ）の場合は、曲がり部４１の外側を肉薄にすることもできる。図示したいずれの場合も抜け止片４０は貝止め突起２の幅方向全体に形成してあるが、幅方向左右のいずれか側のみ、或いは幅方向中央のみ、或いは幅方向両側のみに形成することもできる。
【００４９】
抜け止片４０は図８（ａ）〜（ｄ）のように、貝止め突起２の長手方向（軸方向）中央部から屈曲させて形成することもできる。この場合も、図９（ａ）〜（ｃ）のように抜け止片４０の曲がり部４１の内側又は外側に肉薄部２ｃを形成することができる。抜け止片４０の形成位置は貝止め突起２であれば他の箇所に形成することもできる。抜け止片４０の形状、大きさ、曲げ角度等は所望のものとすることができる。
【００５０】
（貝係止具の実施の形態４）
本発明の実施の形態４の貝係止具は図１８（ａ）のように、基材１の第一ロープ止め突起３の反対側に第二ロープ止め突起１３を突設したものでもよい。第二ロープ止め突起１３は第一ロープ止め突起３よりも短くしてあり、第一ロープ止め突起３の根元の内側で、第一ロープ止め突起３の先端とほぼ同じ位置に同じ間隔で突設されている。
【００５１】
（貝係止具の実施の形態５）
本発明の実施の形態５の貝係止具は図１９（ａ）のように、基材１の第一ロープ止め突起３の内側を台形状に第一ロープ止め突起３側に突出させ、その凹陥部１５の内側に第二ロープ止め突起１３を突設したものでもよい。この場合も、第二ロープ止め突起１３は第一ロープ止め突起３よりも短くして凹陥部１５の内側に突出するか、凹陥部１５よりもわずかに外側まで突出する程度の長さにしてある。また、突設位置は第一ロープ止め突起３の根元の内側で、第一ロープ止め突起３の先端とほぼ同じ位置に突設されている。第二ロープ止め突起１３は前記実施形態のいずれかに記載の貝係止具に突設することもできる。
【００５２】
前記した各実施形態の貝係止具の貝止め突起２の先端又は抜け止片４０の先端には、図３（ｃ）、（ｄ）のような抜け止部４を形成することもできる。抜け止部４は貝止め突起２に係止された貝６の脱落を防止するためのものである。抜け止部４は基材１及び貝止め突起２とともに貝６の孔６ｂに差し込んで貫通させるものであるため、その差し込み時に障害とならないように薄片、細片、細紐、細糸といった細い形状、薄い形状にしてある。図３（ｃ）（ｄ）では丸紐にして、貝止め突起２の延長線上に直線状に突設してあるが、図１３（ａ）のように貝止め突起２の湾曲に沿って外側に湾曲させてもよく、図１４（ｂ）のように貝止め突起２の延長線上で内側に湾曲させることもできる。湾曲ではなく屈曲させることもできる。抜け止部４は図１３（ｂ）では貝止め突起２の幅方向中央部から突出させてあるが、貝止め突起２の幅方向両端側に突出させるとか、貝止め突起２と同じ幅で突出させることもできる。抜け止部４は図２（ａ）〜（ｃ）のように、貝６の蝶つがい６ａ側の段差部７の外側まで突出する長さにしてある。抜け止部４は貝止め突起２に二本以上設けることもできる。この場合は、図３（ｄ）のように貝止め突起２の幅方向に間隔をあけて設けてもよく、図３（ｃ）のように貝止め突起２の肉厚方向に間隔をあけて設けてもよい。
【００５３】
（集合貝係止具の実施の形態１）
本発明の集合貝係止具は、図１５に示すように図６（ａ）の貝係止具を、間隔をあけて多数本平行に配置し、それら貝係止具の両端をレール状の剛性連結材２１で連結して樹脂成型して、一枚の集合貝係止具としたものである。剛性連結材２１は角棒状であり、太くして剛性を持たせて、隣接する貝係止具の間隔を変形しにくくすると共に、全体も変形しにくくしてある。剛性連結材２１は角棒以外の形状とすることができる。
【００５４】
（集合貝係止具の実施の形態２）
本発明の集合貝係止具の第２の実施形態を図１６に基づいて説明する。この集合貝係止具の基本的形状は図１５の集合貝係止具と同じであり、異なるのは、各貝止め突起２の端部５を剛性連結材２１で連結すると共に、各貝止め突起２の先端部５と剛性連結材２１の間に、端部５よりも大径の円盤状の突起２３を設けたことである。この突起２３は集合貝係止具をピンセッターにセットして貝係止具を１本分ずつ移動させて、貝係止具を１本ずつ切断分離するときに、ギヤ送りするための係止部である。集合する貝係止具の本数は任意とすることができるが、作業性、形状保持性等の面から２０〜３０本程度が望ましい。
【００５５】
本発明の集合貝係止具は前記貝係止具の実施形態のいずれかに記載の貝係止具を図１５、図１６のように間隔をあけて多数本平行に配置し、それら貝係止具の両端をレール状の剛性連結材２１で連結して樹脂成型することもできる。
【００５６】
（連続貝係止具の実施の形態１）
本発明の連続貝係止具は、図１７（ａ）のように図６（ａ）の貝係止具を、間隔をあけて数千〜数万本平行に配置し、それら貝係止具のロープ止め突起３と貝止め突起２の間を丸紐状の可撓性連結材２５で連結して樹脂成型して、ロール状に巻くことができるようにしたものである。
【００５７】
（連続貝係止具の実施の形態２）
本発明の連続貝係止具は、図１７（ｂ）のように図６（ａ）の貝係止具を、間隔をあけて数千〜数万本平行に配置し、それら貝係止具の２本のロープ止め突起３の間を薄い平紐の可撓性連結材２５で連結成型してロール状に巻くことができるようにしてある。可撓性連結材２５は、ロール状に巻くことができるものであれば他の形状とすることができる。
【００５８】
（連続貝係止具の実施の形態３）
本発明の連続貝係止具の第３の実施形態を図１８（ｂ）に基づいて説明する。この連続貝係止具は、貝止め突起２が図６（ａ）の構造である貝係止具に図１８（ａ）のように第二ロープ止め突起１３を設けた貝係止具を、間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００５９】
（連続貝係止具の実施の形態４）
本発明の連続貝係止具の第４の実施形態を図１９（ｂ）に基づいて説明する。この連続貝係止具は、貝止め突起２が図６（ａ）の構造である貝係止具の基材１を図１９（ａ）のように第一ロープ止め突起３側に台形状に曲げ、台形状の凹陥部１５に第二のロープ止め突起１３を設けた貝係止具を、間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００６０】
（ロール状連続貝係止具の実施の形態）
本発明のロール状連続貝係止具は、前記した連続貝係止具を図２０（ａ）のようにロール状に巻いたものである。この場合、連続貝係止具２７に帯状のシート(シートより薄いフィルムを含む)１８を添わせてロール状に巻いて、連続貝係止具２７の間にシート１８を介在させてある。シート１８には障子紙のような帯状の紙とか、コピー用紙のような質、厚さの紙を帯状に長くしたものとか、帯状に長くした樹脂製のシート等を使用することができるが、使用後の廃棄処分の容易さから紙を使用するのが好ましい。シート１８は幅、長さ共に連続貝係止具２７のそれらと同程度のものが好ましいが、それより短いものを足しながら使用することもできる。本発明のロール状連続貝係止具はシート１８を介在させずに巻くこともできる。
【００６１】
本発明の連続貝係止具２７は図２０（ｂ）のように巻胴３１の両端に鍔３２を設けたボビン３３の巻胴３１にロール状に巻くこともできる。ボビン３３は肉厚の紙製、樹脂製、木製等とすることができる。紙製の場合は使い捨てに適し、樹脂製、木製等の場合は再使用するのに適する。ボビン３３に巻く連続貝係止具２７の間にはシート１８を介在させても、介在させなくともよい。
【００６２】
本発明の連続貝係止具の使用方法は種々あるが、一例としてはロール状に巻いた連続貝係止具２７をほどいてその一端を自動切断差し込み機にセットし、自動切断差し込み機により自動的に貝係止具１を一本ずつ切り離して縦ロープに差し込み、ロープ止め突起３で縦ロープから抜けないようにする。縦ロープに差し込んだ貝係止具の端部５を貝６の耳に開口してある孔６ｂに差し込んで、貝止め突起２をその孔６ｂを貫通させ、貝６の耳を貝止め突起２によって係止する。貝係止具の長手方向他端を同様に貝６の孔６ｂに差し込んで貝止め突起２に貝６の耳を係止する。
【図面の簡単な説明】
【００６３】
【図１】（ａ）〜（ｄ）は本発明の貝係止具の基本形状の説明図。
【図２】（ａ）は貝と抜け止部の位置関係を示す斜視説明図、（ｂ）は貝を本発明の貝係止具で縦ロープに吊り下げた状態の側面説明図、（ｃ）は（ｂ）の右側面図。
【図３】（ａ）は貝係止具の一例の斜視図、（ｂ）は本発明の貝係止具の一例の斜視図、（ｃ）は貝係止具の他例の斜視図、（ｄ）は本発明の貝係止具の異なる例の斜視図。
【図４】（ａ）は貝係止具の異なる例の側面図、（ｂ）は（ａ）の斜視図、（ｃ）は貝係止具の異なる実施例の斜視図。
【図５】（ａ）〜（ｃ）は貝係止具の各種例の斜視図。
【図６】（ａ）〜（ｃ）は本発明の貝係止具の異なる例の斜視図、（ｄ）は（ｃ）の貝係止具の平面図。
【図７】（ａ）〜（ｃ）は図６（ａ）〜（ｃ）の貝止め突起の屈曲部を肉薄にした状態の斜視図。
【図８】（ａ）〜（ｃ）は本発明の貝係止具の異なる例の斜視図、（ｄ）は（ｃ）の貝係止具の平面図。
【図９】（ａ）〜（ｃ）は本発明の貝係止具の異なる例の斜視図。
【図１０】（ａ）、（ｂ）は本発明の貝係止具の異なる例の側面図。
【図１１】本発明の貝係止具の異なる例の側面図。
【図１２】本発明の抜け止部を設けた貝係止具の異なる例の側面図。
【図１３】（ａ）は図１２のＡ部詳細図、（ｂ）は（ａ）の左側面図。
【図１４】（ａ）、（ｂ）は抜け止部の異なる例の側面説明図。
【図１５】本発明の集合貝係止具の一例の側面図。
【図１６】本発明の集合貝係止具の他の例の側面図。
【図１７】（ａ）、（ｂ）は本発明の連続貝係止具の異なる例の側面図。
【図１８】（ａ）は本発明の貝係止具の異なる実施例の側面図、（ｂ）は（ａ）の貝係止具を連続成型した連続貝係止具の側面図。
【図１９】（ａ）は本発明の貝係止具の異なる実施例の側面図、（ｂ）は（ａ）の貝係止具を連続成型した連続貝係止具の側面図。
【図２０】（ａ）は本発明のロール状連続貝係止具の一例の斜視図、（ｂ）はボビンに巻いたロール状連続貝係止具の一例の側面図。
【図２１】従来の貝係止具の使用の一例の斜視図。
【図２２】（ａ）は従来の貝係止具の説明図、（ｂ）は本発明の貝係止具の説明図。
【符号の説明】
【００６４】
１    基材
２    貝止め突起
２ａ  貝止め突起の外面
２ｂ  貝止め突起の内面
２ｃ  肉薄部
２ｄ  根元内側部分
３    第一ロープ止め突起
４    抜け止部
５    基材の端部
６    貝
７    段差部
９    落下防止突起
１０    寝床
１１    受け凹部
１３    第二ロープ止め突起
１５    凹陥部
１８    シート
２１    剛性連結材
２３    突起
２５    可撓性連結材
２７    連続貝係止具
３０    窪み部
３０ａ  幅狭部
３１    巻胴
３２    鍔
３３    ボビン
４０    抜け止片
４０ａ  幅狭部分
４１    曲がり部
【手続補正３】
【補正対象書類名】図面
【補正対象項目名】図２
【補正方法】変更
【補正の内容】
【図２】
2006238870.tif 000025
【手続補正４】
【補正対象書類名】図面
【補正対象項目名】図３
【補正方法】変更
【補正の内容】
【図３】
2006238870.tif 000026
【手続補正５】
【補正対象書類名】図面
【補正対象項目名】図６
【補正方法】変更
【補正の内容】
【図６】
2006238870.tif 000027
【手続補正６】
【補正対象書類名】図面
【補正対象項目名】図７
【補正方法】変更
【補正の内容】
【図７】
2006238870.tif 000028
【手続補正７】
【補正対象書類名】図面
【補正対象項目名】図９
【補正方法】変更
【補正の内容】
【図９】
2006238870.tif 000029
【手続補正８】
【補正対象書類名】図面
【補正対象項目名】図１２
【補正方法】変更
【補正の内容】
【図１２】
2006238870.tif 000030
【手続補正９】
【補正対象書類名】図面
【補正対象項目名】図１３
【補正方法】変更
【補正の内容】
【図１３】
2006238870.tif 000031
【手続補正１０】
【補正対象書類名】図面
【補正対象項目名】図１４
【補正方法】変更
【補正の内容】
【図１４】
2006238870.tif 000032
【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
ロープと貝にあけた孔に差し込み可能な細長の基材（１）が貝止め突起（２）を、又は貝止め突起（２）と第一ロープ止め突起（３）を備え、貝止め突起（２）は基材（１）の軸方向一方の端部（５）側から他方の端部（５）側に向けて外側広がりに突設され、貝止め突起（２）の一又は二以上の箇所に、前記外側広がりの角度とは異なる角度で基材（１）側又はそれと反対側に曲がった抜け止片（４０）が設けられ、これら基材（１）、貝止め突起（２）が樹脂で一体成型されたことを特徴とする貝係止具。
【請求項２】
請求項１記載の貝係止具において、貝止め突起（２）における抜け止片（４０）の曲がり部（４１）の幅方向両側又は片側に内側に窪んだ幅狭部分（４０ａ）が成型されたことを特徴とする貝係止具。
【請求項３】
請求項１又は請求項２記載の貝係止具において、抜け止片（４０）の曲がり部（４１）の外面（２ａ）と内面（２ｂ）の双方又はいずれか一方に、肉薄部（２ｃ）が成型されたことを特徴とする貝係止具。
【請求項４】
請求項１乃至請求項３のいずれかに記載の貝係止具において、貝止め突起（２）の先端より先方に一又は二以上の細い又は薄い抜け止部（４）が突設されたことを特徴とする貝係止具。
【請求項５】
請求項１乃至請求項４のいずれかに記載の貝係止具に、第一ロープ止め突起（３）と第二ロープ止め突起（１３）が基材（１）の反対方向に突出して成型され、第二ロープ止め突起（１３）は第一ロープ止め突起（３）の根元に又は先端よりも内側に突設されたことを特徴とする貝係止具。
【請求項６】
請求項１乃至請求項５のいずれかに記載の貝係止具の基材（１）が第一ロープ止め突起（３）側に凹陥して形成され、その凹陥部（１５）から第二ロープ止め突起（１３）が第一ロープ止め突起（３）と反対方向に突出して成型され、第二ロープ止め突起（１３）は第一ロープ止め突起（３）の根元に又は先端よりも内側に突設されたことを特徴とする貝係止具。
【請求項７】
請求項１乃至請求項６のいずれかに記載の貝係止具が多数本平行に間隔をあけて配置され、且つ多数本の貝係止具の軸方向両端部が剛性連結材（２１）で連結されて成型されたことを特徴とする集合貝係止具。
【請求項８】
請求項１乃至請求項６のいずれかに記載の貝係止具が多数本、間隔をあけてロール状に巻回可能な可撓性連結材（２５）で連結されて成型されたことを特徴とする連続貝係止具。
【請求項９】
請求項５又は請求項６記載の貝係止具が多数本、間隔をあけてロール状に巻回可能な可撓性連結材（２５）で連結されて成型され、可撓性連結材（２５）は隣接する貝係止具の第一ロープ止め突起（３）と第二ロープ止め突起（１３）を連結することを特徴とする連続貝係止具。
【請求項１０】
請求項８又は請求項９記載の連続貝係止具がボビン（３３）に、又はボビンなしでロール状に巻かれたことを特徴とするロール状連続貝係止具。
【請求項１１】
請求項８又は請求項９記載の連続貝係止具がシート（１８）を宛がってロール状に巻かれて、巻層間にシート（１８）が介在されたことを特徴とするロール状連続貝係止具。
【手続補正２】
【補正対象書類名】明細書
【補正対象項目名】全文
【補正方法】変更
【補正の内容】
【発明の詳細な説明】
【技術分野】
【０００１】
本発明は帆立貝、真珠貝、牡蠣、その他の貝の養殖に使用されるピン状の貝係止具と、数十本の貝係止具を一定間隔で成型した集合貝係止具と、数千〜数万本のロール状に巻回可能に連続成型した連続貝係止具と、連続貝係止具をロール状に巻いたロール状連続貝係止具に関するものである。
【背景技術】
【０００２】
帆立貝の養殖方法の一つとして図２１に示す耳吊養殖がある。これは海面近くに横向きに張った横ロープ（図示せず）に、帆立貝を取付けた縦ロープＣを縦向きに取り付けて海中に吊るす方法である。縦ロープＣへの帆立貝の取付けにはピン状の貝係止具Ｄが使用されている。図２１に示す貝係止具は樹脂成型されており、細長な基材Ａの両端に貝止め突起Ｇがあり、その内側にロープ止め突起Ｅがある。貝係止具は縦ロープＣに差し込み、貝Ｂにあけた孔に差し込んで貝Ｂを貝止め突起Ｇに係止する（特許文献１）。
【０００３】
【特許文献１】特開２００４−２０８６１９
【発明の開示】
【発明が解決しようとする課題】
【０００４】
海中に吊られた貝が波を受けて貝係止具Ｄを軸として回転したり、揺れたりすると、貝係止具Ｄの貝止め突起Ｇが捩れて基材Ａの窪み（寝床）Ｉの上に倒伏し、貝Ｂが貝係止具Ｄの貝止め突起Ｇを乗り越えて矢印ａ方向に抜け落ちることがあり、養殖の歩留りが低下し、養殖業者の収益が減収する。
【課題を解決するための手段】
【０００５】
本発明は、貝止め突起が切断したり、倒伏したりしにくく、貝が抜け落ちないようにした貝係止具を提供するものである。
【０００６】
本発明の請求項１記載の貝係止具は、ロープと貝にあけた孔に差し込み可能な細長の基材１が貝止め突起２を、又は貝止め突起２と第一ロープ止め突起３を備え、貝止め突起２は基材１の軸方向一方の端部５側から他方の端部５側に向けて外側広がりに突設され、貝止め突起２の一又は二以上の箇所に、前記外側広がりの角度とは異なる角度で基材１側又はそれと反対側に曲がった抜け止片４０が設けられ、これら基材１、貝止め突起２が樹脂で一体成型されたものである。
【０００７】
本発明の請求項２記載の貝係止具は、請求項１記載の貝係止具において、貝止め突起２における抜け止片４０の曲がり部４１の幅方向両側又は片側に内側に窪んだ幅狭部分４０ａが成型されたものである。
【０００８】
本発明の請求項３記載の貝係止具は、請求項１又は請求項２記載の貝係止具において、抜け止片４０の曲がり部４１の外面２ａと内面２ｂの双方又はいずれか一方に、肉薄部２ｃが成型されたものである。
【０００９】
本発明の請求項４記載の貝係止具は、請求項１乃至請求項３のいずれかに記載の貝係止具において、貝止め突起２の先端より先方に一又は二以上の細い又は薄い抜け止部４が突設されたものである。
【００１０】
本発明の請求項５記載の貝係止具は、請求項１乃至請求項４のいずれかに記載の貝係止具において、第一ロープ止め突起３と第二ロープ止め突起１３が基材１の反対方向に突出して成型され、第二ロープ止め突起１３は第一ロープ止め突起３の根元に又は先端よりも内側に突設されたものである。
【００１１】
本発明の請求項６記載の貝係止具は、請求項５記載の貝係止具の基材１が第一ロープ止め突起３側に凹陥して形成され、その凹陥部１５から第二ロープ止め突起１３が第一ロープ止め突起３と反対方向に突出して成型され、第二ロープ止め突起１３は第一ロープ止め突起３の根元に又は先端よりも内側に突設されたものである。
【００１２】
本発明の請求項７記載の集合貝係止具は、請求項１乃至請求項６のいずれかに記載の貝係止具が多数本平行に間隔をあけて配置され、且つ多数本の貝係止具の軸方向両端部が剛性連結材２１で連結されて成型されたものである。
【００１３】
本発明の請求項８記載の連続貝係止具は、請求項１乃至請求項６のいずれかに記載の貝係止具が多数本、間隔をあけてロール状に巻回可能な可撓性連結材２５で連結されて成型されたものである。
【００１４】
本発明の請求項９記載の連続貝係止具は、請求項５又は請求項６記載の貝係止具が多数本、間隔をあけてロール状に巻回可能な可撓性連結材２５で連結されて成型され、可撓性連結材２５は隣接する貝係止具の第一ロープ止め突起３と第二ロープ止め突起１３を連結したものである。
【００１５】
本発明の請求項１０記載のロール状連続貝係止具は、請求項８又は請求項９記載の連続貝係止具がボビン３３に、又はボビンなしでロール状に巻かれたものである。
【００１６】
本発明の請求項１１記載のロール状連続貝係止具は、請求項８又は請求項９記載の連続貝係止具がシート１８を宛がってロール状に巻かれて、巻層間にシート１８が介在されたものである。
【００１７】
【００１８】
【００１９】
【００２０】
【００２１】
【発明の効果】
【００２２】
【００２３】
【００２４】
【００２５】
【００２６】
【００２７】
【００２８】
本発明の請求項１記載の貝係止具は、抜け止部が貝止め突起の一又は二以上の箇所に貝止め突起の突設角度とは異なる角度で基材側又はそれと反対側に曲がった抜け止片を備えているので、貝の孔に基材の先端部及び貝止め突起を貫通した後は、抜け止片が邪魔になり貝が脱落しない。
【００２９】
本発明の請求項２記載の貝係止具は、抜け止片の曲がり部の幅方向両側又は一側に内側に窪んだ幅狭部分が形成されたので、貝の孔に基材の先端部及び貝止め突起を貫通するときに抜け止部が幅狭部分から曲がり易くなり、抜け止部が邪魔になることなく貝の孔に基材の先端部及び貝止め突起がスムースに貫通し、貫通してからは抜け止片が邪魔になり貝が脱落しない。
【００３０】
本発明の請求項３記載の貝係止具は、抜け止片の曲がり部の内面又は外面を肉薄に形成したので、貝の孔に基材の先端部及び貝止め突起を貫通するときに抜け止片が肉薄部からより一層曲がり易くなり、抜け止片が邪魔になることなく貝の孔に基材の先端部及び貝止め突起がより一層スムースに貫通し、貫通してからは抜け止片が邪魔になり貝が脱落しない。
【００３１】
本発明の請求項４記載の貝係止具は、前記貝係止具の貝止め突起に、その先端より先方に突設する細い又は薄い抜け止部を一又は二以上設けたので、前記した貝脱落防止効果に加えて、抜け止部による貝脱落防止効果もあるため、貝の脱落を確実に防止できる。
【００３２】
本発明の請求項５、６記載の貝係止具は、貝係止具の基材に第二ロープ止め突起を第一ロープ止め突起と反対方向に突設して成型し、第二ロープ止め突起を第一ロープ止め突起の根元又は先端よりも内側に突設したので、第一ロープ止め突起の傾斜角度θを図２２（ｂ）のように小さくして、ロープ止め突起Ｅの根元間の間隔Ｍを図２２（ａ）の間隔ｍより広くしても、ロープに差し込まれた貝係止具のスライド幅（左右へのずれ幅）が第二ロープ止め突起により規制されて小さくなり、貝係止具が位置ずれしにくくなる。このため、第一ロープ止め突起がロープへ衝突しにくくなり、第一ロープ止め突起の折損が無く、貝係止具がロープから抜けて脱落することがなく、養殖貝の歩留まりが向上する。
【００３３】
本発明の請求項７記載の集合貝係止具は、前記貝係止具を多数本平行に間隔をあけて配置し、且つ多数本の貝係止具の軸方向端部を剛性連結材で連結して成型したので、多数枚を横向きにして上下に重ねたり、縦向きにして前後或は左右に並べたりして、切断差し込み機（通称：ピンセッター）にセットして、貝係止具を１本ずつ切断しながらロープに差し込むことができ、ロープへの差し込みが自動化され、作業性が向上する。この場合、多数本の貝係止具を同じ向きにして連結すれば、一本ずつ分離してロープに差し込む場合に貝係止具の方向が揃い、ロープへの差し込み、貝への差し込みなどの作業がし易くなる。剛性連結材での連結であるため、集合貝係止具をピン自動切断差し込み機にセットして一本ずつ切断して差し込むときに、集合貝係止具を自動送りしても隣接する貝係止具の間隔や集合貝係止具全体の形状が変化することが無く、切断、差し込み作業が安定する。
【００３４】
本発明の請求項８、９記載の連続貝係止具は、前記貝係止具を多数本平行に間隔をあけて配置し、且つ多数本の貝係止具の基材間をロール状に巻回可能な可撓性連結材で連結したので次のような効果がある。
（１）貝係止具が数千、数万本と多くなっても、ロール状に巻回して保管、搬送、ピンセッターへのセットができ、コンパクトにまとまるため保管に場所をとらず取り扱いに便利である。
（２）可撓性連結材を薄肉片にすれば貝係止具の分離が容易になり、ロール状に巻き易くもなる。数十ｍ以上長く連続成型された連続貝係止具は、保管や運搬の仕方によっては貝係止具のロープ止め突起同士が絡まったり、貝止め突起同士が絡まったり、基材の端部が曲がったりして、引き出しにくいとか、一本ずつ分離しにくくなることがあるが、保護シートがあるためそのようなことはない。
【００３５】
本発明の請求項１０記載のロール状連続貝係止具は、前記連続貝係止具をロール状に巻いたので次のような効果がある。
連続貝係止具をボビンにロール状に巻いたロール状連続貝係止具の場合は、ボビンを回転軸にセットして連続貝係止具をボビンから引き出すことができるため、ボビンの回転が円滑になり、貝係止具の１本ずつの切断、切断した貝係止具のロープへの差し込みがスムースに行われる。ボビンに鍔があるため貝係止具をロール状に巻いた鍔を重ねて保管したり、収納したりすることができ、取り扱いに便利である。
【００３６】
本発明の請求項１１記載のロール状連続貝係止具は、保護シートを介在させてロール状に巻いたため、連結されている多数の貝係止具同士が絡まり合うことがなく、連続貝係止具の巻き戻し(引き出し)がスムースになり、自動ピンセッターなどへのセットが容易になり、使い易くなる。
【発明を実施するための最良の形態】
【００３７】
（貝係止具の基本形態の一例の説明）
本発明の貝係止具の基本形態を図１（ａ）〜（ｄ）を参照して説明する。これら図の貝係止具は海中に吊るす図２(ｂ）の縦ロープ及び図６(ａ）のように貝６の耳にあけた孔６ｂに差し込み可能なピン形状の基材１のほぼ中央部に第一ロープ止め突起３が２本突設され、第一ロープ止め突起３よりも外側の両端部（差し込み端部）５寄りには貝の抜けを規制する貝止め突起２が突設され、これら基材１、貝止め突起２、第一ロープ止め突起３が一体に樹脂成型されている。
【００３８】
基材１の形状は丸ピン、角ピン、他の形状のピンとすることができる。図１の基材１は両端部（差し込み端部）５を先細りに成型して貝６の孔６ｂに差し込み易くしてある。基材１のうち貝止め突起２と対向する内面には、基材１の中央部の外周面よりも一段低い凹部（寝床）１０を設けて、貝止め突起２をその根元部分から基材１側に押し倒すと、貝止め突起２が寝床１０内に伏して倒れ（倒伏し）て、貝止め突起２と寝床１０が重なって輪郭が円形になるようにしてある。これにより貝止め突起２は貝係止具を基材１の軸方向一端から縦ロープに差し込むときも、貝の耳にあけた孔に差し込むときも、押し倒されて寝床１０内に倒れて貝止め突起２が縦ロープ内を貫通し易くなる。また、差し込み時に倒れた貝止め突起２は縦ロープを貫通し終えたときも、貝６の孔６ｂを貫通し終えたときも、自己の弾性と復元力で自動的に起立して倒れる前の元の状態に復元できるようにしてある。
【００３９】
第一ロープ止め突起３は縦ロープに差し込んだ貝係止具が縦ロープから抜けるのを阻止するためのものであり、基材１の外周の同方向に二本突設され、互いに内向き斜めに突設されてハ字状になっている。第一ロープ止め突起３は基材１の長手方向中央部の外径よりもやや細い丸棒状であるが、それ以外の形状、例えば、三角や四角の棒状とか、楕円形の棒状等であってもよく、太さもそれ以外であってもよい。二本の貝止め突起２は図１０（ａ）のように互いに反対方向に斜めに突設することも、図１０（ｂ）のように互いに同じ方向であるが貝止め突起２とは反対方向に突設することもできる。
【００４０】
貝止め突起２は図１（ａ）に明示するように、その立ち上がり部分（根元部分：基材１の軸方向一方の端部５）側から他方の端部５側に向けて斜め外側広がりに突設され、更に、外面２ａ側に反り返るよう湾曲させて、貝止め突起２に係止された貝が抜けにくくなるようにしてある。また、図１（ｃ）のように貝止め突起２の根元内側部分２ｄは円弧状に湾曲させて、貝止め突起２に貝の荷重が加わってもその荷重が貝止め突起２の根元内側部分２ｄに伝わりにくくなって、根元内側部分２ｄが切れにくくなるようにしてある。図１（ａ）〜（ｄ）の貝止め突起２は薄板状に成型されているが、貝止め突起２は倒伏・復元可能な弾性のある丸棒状とか外面が円弧状の半円形とか、その他の形状とすることもできる。貝止め突起２は図１（ｄ）のように基材１の軸方向一端部に反対方向に２枚ずつ突設することもできる。
【００４１】
（貝係止具の実施の形態１）
本発明の貝係止具の実施形態１を、図３（ａ）を参照して説明する。この貝係止具は、貝止め突起２の両側方に、その幅方向内側に窪んで幅を狭くする窪み部３０を形成したものである。窪み部３０は幅方向一側方のみに形成することもできる。また、両側方に形成する場合は、両側の窪み部３０の位置を貝止め突起２の軸方向に少しずらすこともできる。窪み部３０を設けることにより、海中に吊るしてある間に、貝止め突起２が幅の狭い部分から内側又は外側に首折れ状態に曲がり易くなり、曲がるとその部分よりも先端側が邪魔して貝が脱落しにくくなる。窪み部３０の位置を貝止め突起２の軸方向に少しずらして設けた場合は、貝止め突起２が幅の狭い部分から曲がり易くなり、しかも、両側方の同じ位置に設けた場合よりも貝止め突起２における窪み部間の幅が狭くなるため、その部分の強度も低下しない。図示した窪み部３０は貝止め突起２の両側面にその長手方向に沿って三個ずつ設けてあるが、両側面又は片側面に一以上設ければよい。窪み部３０は直線状（Ｖ字状）に凹陥させてあるが、曲線状（例えばＵ字状）に湾曲させて窪ませることもできる。この場合、貝止め突起２における窪み部３０の内側の幅狭部３０ａの内面又は外面を肉薄にして、幅狭部３０ａを肉薄部分から内面側又は外面側に曲がり易くすることもできる。
【００４２】
（貝係止具の実施の形態２）
本発明の貝係止具の実施形態２を、図３（ｂ）を参照して説明する。この貝係止具は、前記貝止め突起２の内面２ｂに肉薄部２ｃを、幅方向に細長に形成したものである。肉薄部２ｃは貝止め突起２の外面２ａと内面２ｂの双方又は外面２ａだけに形成することもでき、いずれに形成した場合も二本以上形成することもできる。この場合も、海中に吊るしてある間に、貝止め突起２が肉薄部２ｃから内側又は外側に折れ易くなり、曲がるとその部分よりも先端側が邪魔して貝が脱落しにくくなる。図３（ｂ）の場合、基材１の寝床１０に突起１３が突設されている。これは寝床１０の補強用であり、貝止め突起２が寝床１０の上に倒伏したときに、肉薄部２ｃが被さる位置に形成してあるが、突起１３は必ずしも必要ではない。
【００４３】
【００４４】
【００４５】
【００４６】
【００４７】
【００４８】
（貝係止具の実施の形態３）
本発明の貝係止具の実施形態３を、図６（ａ）を参照して説明する。この貝係止具は貝止め突起２の先端部の全幅又は幅の一部分を基材１側に向けて（内向きにして）斜めに、へ字状に曲げて抜け止片４０を形成したものである。抜け止片４０は図６（ｂ）のように貝止め突起２の先端部の全幅又は幅の一部分を基材１と反対側に向けて（外向きにして）斜めに、へ字状に曲げることもできる。いずれの場合も曲げ角度を急（鋭角）にすると、貝の孔に基材の先端部及び貝止め突起を貫通するときに抜け止部４が邪魔になって差し込みにくくなるため、図６（ａ）（ｂ）に示したような緩やかな角度（ほぼへ字状）に屈曲させると、基材１の先端部及び貝止め突起２を差し込み易く、しかも、貫通してから貝が脱落しにくくなる。また、図６（ａ）のように内側に曲げた抜け止片４０の曲がり部（屈曲部）４１、図６（ｂ）のように外側に曲げた抜け止片４０の曲がり部４１を、図６（ｃ）（ｄ）のように幅方向両側に内側に窪む窪み部３０を形成して幅狭部分４０ａを形成すれば、基材１の先端部の抜け止片４０から貝止め突起２を差し込むときに、曲がっている抜け止部４が幅狭部分４０ａから逆方向に戻って貝止め突起２が根元から先端部まで真っ直ぐになり易くなり、基材１の先端部及び貝止め突起２を差し込み易くなる。しかも貫通後は真っ直ぐになる前の屈曲状態に自動的に戻って復元して屈曲するため貝が脱落しにくくなる。幅狭部分４０ａは貝止め突起２の幅方向片側だけに形成することもできる。この場合、図６（ａ）の曲がり部４１の内側に図７（ａ）のように肉薄部２ｃを形成したり、図６（ｂ）の曲がり部４１の外側に図７（ｂ）のように肉薄部２ｃを形成したり、図６（ｃ）の曲がり部４１の内側に図７（ｃ）のように肉薄部２ｃを形成したりすることもできる。図７（ａ）のように肉薄にすれば、貝６の孔６ａへの基材１の先端部及び貝止め突起２の差し込み時に、抜け止部４が肉薄部２ｃから外側に曲がって真っ直ぐに伸び易くなるため差し込みが容易になり、差し込み後は抜け止片４０が肉薄部２ｃから自動的に内側に戻って（曲がって）下向きになるため貝６が抜けにくくなる。図７（ｂ）のように肉薄にすれば、貝の孔への基材１の先端部及び貝止め突起２の差し込み時に、抜け止片４０が肉薄部２ｃから内側に曲がって真っ直ぐに伸び易くなるため差し込みが容易になり、差し込み後は抜け止め片４０が肉薄部２ｃから自動的に外側に戻って（曲がって）上向きになるため、貝が抜けにくくなる。図６（ｃ）の場合は、曲がり部４１の外側を肉薄にすることもできる。図示したいずれの場合も抜け止片４０は貝止め突起２の幅方向全体に形成してあるが、幅方向左右のいずれか側のみ、或いは幅方向中央のみ、或いは幅方向両側のみに形成することもできる。
【００４９】
抜け止片４０は図８（ａ）〜（ｄ）のように、貝止め突起２の長手方向（軸方向）中央部から屈曲させて形成することもできる。この場合も、図９（ａ）〜（ｃ）のように抜け止片４０の曲がり部４１の内側又は外側に肉薄部２ｃを形成することができる。抜け止片４０の形成位置は貝止め突起２であれば他の箇所に形成することもできる。抜け止片４０の形状、大きさ、曲げ角度等は所望のものとすることができる。
【００５０】
（貝係止具の実施の形態４）
本発明の実施の形態４の貝係止具は図１８（ａ）のように、基材１の第一ロープ止め突起３の反対側に第二ロープ止め突起１３を突設したものでもよい。第二ロープ止め突起１３は第一ロープ止め突起３よりも短くしてあり、第一ロープ止め突起３の根元の内側で、第一ロープ止め突起３の先端とほぼ同じ位置に同じ間隔で突設されている。
【００５１】
（貝係止具の実施の形態５）
本発明の実施の形態５の貝係止具は図１９（ａ）のように、基材１の第一ロープ止め突起３の内側を台形状に第一ロープ止め突起３側に突出させ、その凹陥部１５の内側に第二ロープ止め突起１３を突設したものでもよい。この場合も、第二ロープ止め突起１３は第一ロープ止め突起３よりも短くして凹陥部１５の内側に突出するか、凹陥部１５よりもわずかに外側まで突出する程度の長さにしてある。また、突設位置は第一ロープ止め突起３の根元の内側で、第一ロープ止め突起３の先端とほぼ同じ位置に突設されている。第二ロープ止め突起１３は前記実施形態のいずれかに記載の貝係止具に突設することもできる。
【００５２】
前記した各実施形態の貝係止具の貝止め突起２の先端又は抜け止片４０の先端には、図３（ｃ）、（ｄ）のような抜け止部４を形成することもできる。抜け止部４は貝止め突起２に係止された貝６の脱落を防止するためのものである。抜け止部４は基材１及び貝止め突起２とともに貝６の孔６ｂに差し込んで貫通させるものであるため、その差し込み時に障害とならないように薄片、細片、細紐、細糸といった細い形状、薄い形状にしてある。図３（ｃ）（ｄ）では丸紐にして、貝止め突起２の延長線上に直線状に突設してあるが、図１３（ａ）のように貝止め突起２の湾曲に沿って外側に湾曲させてもよく、図１４（ｂ）のように貝止め突起２の延長線上で内側に湾曲させることもできる。湾曲ではなく屈曲させることもできる。抜け止部４は図１３（ｂ）では貝止め突起２の幅方向中央部から突出させてあるが、貝止め突起２の幅方向両端側に突出させるとか、貝止め突起２と同じ幅で突出させることもできる。抜け止部４は図２（ａ）〜（ｃ）のように、貝６の蝶つがい６ａ側の段差部７の外側まで突出する長さにしてある。抜け止部４は貝止め突起２に二本以上設けることもできる。この場合は、図３（ｄ）のように貝止め突起２の幅方向に間隔をあけて設けてもよく、図３（ｃ）のように貝止め突起２の肉厚方向に間隔をあけて設けてもよい。
【００５３】
（集合貝係止具の実施の形態１）
本発明の集合貝係止具は、図１５に示すように図６（ａ）の貝係止具を、間隔をあけて多数本平行に配置し、それら貝係止具の両端をレール状の剛性連結材２１で連結して樹脂成型して、一枚の集合貝係止具としたものである。剛性連結材２１は角棒状であり、太くして剛性を持たせて、隣接する貝係止具の間隔を変形しにくくすると共に、全体も変形しにくくしてある。剛性連結材２１は角棒以外の形状とすることができる。
【００５４】
（集合貝係止具の実施の形態２）
本発明の集合貝係止具の第２の実施形態を図１６に基づいて説明する。この集合貝係止具の基本的形状は図１５の集合貝係止具と同じであり、異なるのは、各貝止め突起２の端部５を剛性連結材２１で連結すると共に、各貝止め突起２の先端部５と剛性連結材２１の間に、端部５よりも大径の円盤状の突起２３を設けたことである。この突起２３は集合貝係止具をピンセッターにセットして貝係止具を１本分ずつ移動させて、貝係止具を１本ずつ切断分離するときに、ギヤ送りするための係止部である。集合する貝係止具の本数は任意とすることができるが、作業性、形状保持性等の面から２０〜３０本程度が望ましい。
【００５５】
本発明の集合貝係止具は前記貝係止具の実施形態のいずれかに記載の貝係止具を図１５、図１６のように間隔をあけて多数本平行に配置し、それら貝係止具の両端をレール状の剛性連結材２１で連結して樹脂成型することもできる。
【００５６】
（連続貝係止具の実施の形態１）
本発明の連続貝係止具は、図１７（ａ）のように図６（ａ）の貝係止具を、間隔をあけて数千〜数万本平行に配置し、それら貝係止具のロープ止め突起３と貝止め突起２の間を丸紐状の可撓性連結材２５で連結して樹脂成型して、ロール状に巻くことができるようにしたものである。
【００５７】
（連続貝係止具の実施の形態２）
本発明の連続貝係止具は、図１７（ｂ）のように図６（ａ）の貝係止具を、間隔をあけて数千〜数万本平行に配置し、それら貝係止具の２本のロープ止め突起３の間を薄い平紐の可撓性連結材２５で連結成型してロール状に巻くことができるようにしてある。可撓性連結材２５は、ロール状に巻くことができるものであれば他の形状とすることができる。
【００５８】
（連続貝係止具の実施の形態３）
本発明の連続貝係止具の第３の実施形態を図１８（ｂ）に基づいて説明する。この連続貝係止具は、貝止め突起２が図６（ａ）の構造である貝係止具に図１８（ａ）のように第二ロープ止め突起１３を設けた貝係止具を、間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００５９】
（連続貝係止具の実施の形態４）
本発明の連続貝係止具の第４の実施形態を図１９（ｂ）に基づいて説明する。この連続貝係止具は、貝止め突起２が図６（ａ）の構造である貝係止具の基材１を図１９（ａ）のように第一ロープ止め突起３側に台形状に曲げ、台形状の凹陥部１５に第二のロープ止め突起１３を設けた貝係止具を、間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００６０】
（ロール状連続貝係止具の実施の形態）
本発明のロール状連続貝係止具は、前記した連続貝係止具を図２０（ａ）のようにロール状に巻いたものである。この場合、連続貝係止具２７に帯状のシート(シートより薄いフィルムを含む)１８を添わせてロール状に巻いて、連続貝係止具２７の間にシート１８を介在させてある。シート１８には障子紙のような帯状の紙とか、コピー用紙のような質、厚さの紙を帯状に長くしたものとか、帯状に長くした樹脂製のシート等を使用することができるが、使用後の廃棄処分の容易さから紙を使用するのが好ましい。シート１８は幅、長さ共に連続貝係止具２７のそれらと同程度のものが好ましいが、それより短いものを足しながら使用することもできる。本発明のロール状連続貝係止具はシート１８を介在させずに巻くこともできる。
【００６１】
本発明の連続貝係止具２７は図２０（ｂ）のように巻胴３１の両端に鍔３２を設けたボビン３３の巻胴３１にロール状に巻くこともできる。ボビン３３は肉厚の紙製、樹脂製、木製等とすることができる。紙製の場合は使い捨てに適し、樹脂製、木製等の場合は再使用するのに適する。ボビン３３に巻く連続貝係止具２７の間にはシート１８を介在させても、介在させなくともよい。
【００６２】
本発明の連続貝係止具の使用方法は種々あるが、一例としてはロール状に巻いた連続貝係止具２７をほどいてその一端を自動切断差し込み機にセットし、自動切断差し込み機により自動的に貝係止具１を一本ずつ切り離して縦ロープに差し込み、ロープ止め突起３で縦ロープから抜けないようにする。縦ロープに差し込んだ貝係止具の端部５を貝６の耳に開口してある孔６ｂに差し込んで、貝止め突起２をその孔６ｂを貫通させ、貝６の耳を貝止め突起２によって係止する。貝係止具の長手方向他端を同様に貝６の孔６ｂに差し込んで貝止め突起２に貝６の耳を係止する。
【図面の簡単な説明】
【００６３】
【図１】（ａ）〜（ｄ）は本発明の貝係止具の基本形状の説明図。
【図２】（ａ）は貝と抜け止部の位置関係を示す斜視説明図、（ｂ）は貝を本発明の貝係止具で縦ロープに吊り下げた状態の側面説明図、（ｃ）は（ｂ）の右側面図。
【図３】（ａ）は貝係止具の一例の斜視図、（ｂ）は本発明の貝係止具の一例の斜視図、（ｃ）は貝係止具の他例の斜視図、（ｄ）は本発明の貝係止具の異なる例の斜視図。
【図４】（ａ）は貝係止具の異なる例の側面図、（ｂ）は（ａ）の斜視図、（ｃ）は貝係止具の異なる実施例の斜視図。
【図５】（ａ）〜（ｃ）は貝係止具の各種例の斜視図。
【図６】（ａ）〜（ｃ）は本発明の貝係止具の異なる例の斜視図、（ｄ）は（ｃ）の貝係止具の平面図。
【図７】（ａ）〜（ｃ）は図６（ａ）〜（ｃ）の貝止め突起の屈曲部を肉薄にした状態の斜視図。
【図８】（ａ）〜（ｃ）は本発明の貝係止具の異なる例の斜視図、（ｄ）は（ｃ）の貝係止具の平面図。
【図９】（ａ）〜（ｃ）は本発明の貝係止具の異なる例の斜視図。
【図１０】（ａ）、（ｂ）は本発明の貝係止具の異なる例の側面図。
【図１１】本発明の貝係止具の異なる例の側面図。
【図１２】本発明の抜け止部を設けた貝係止具の異なる例の側面図。
【図１３】（ａ）は図１２のＡ部詳細図、（ｂ）は（ａ）の左側面図。
【図１４】（ａ）、（ｂ）は抜け止部の異なる例の側面説明図。
【図１５】本発明の集合貝係止具の一例の側面図。
【図１６】本発明の集合貝係止具の他の例の側面図。
【図１７】（ａ）、（ｂ）は本発明の連続貝係止具の異なる例の側面図。
【図１８】（ａ）は本発明の貝係止具の異なる実施例の側面図、（ｂ）は（ａ）の貝係止具を連続成型した連続貝係止具の側面図。
【図１９】（ａ）は本発明の貝係止具の異なる実施例の側面図、（ｂ）は（ａ）の貝係止具を連続成型した連続貝係止具の側面図。
【図２０】（ａ）は本発明のロール状連続貝係止具の一例の斜視図、（ｂ）はボビンに巻いたロール状連続貝係止具の一例の側面図。
【図２１】従来の貝係止具の使用の一例の斜視図。
【図２２】（ａ）は従来の貝係止具の説明図、（ｂ）は本発明の貝係止具の説明図。
【符号の説明】
【００６４】
１    基材
２    貝止め突起
２ａ  貝止め突起の外面
２ｂ  貝止め突起の内面
２ｃ  肉薄部
２ｄ  根元内側部分
３    第一ロープ止め突起
４    抜け止部
５    基材の端部
６    貝
７    段差部
９    落下防止突起
１０    寝床
１１    受け凹部
１３    第二ロープ止め突起
１５    凹陥部
１８    シート
２１    剛性連結材
２３    突起
２５    可撓性連結材
２７    連続貝係止具
３０    窪み部
３０ａ  幅狭部
３１    巻胴
３２    鍔
３３    ボビン
４０    抜け止片
４０ａ  幅狭部分
４１    曲がり部
【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
ロープと貝にあけた孔に差し込み可能な細長の基材（１）が貝止め突起（２）を、又は貝止め突起（２）と第一ロープ止め突起（３）を備え、貝止め突起（２）は基材（１）の軸方向一方の端部（５）側から他方の端部（５）側に向けて外側広がりに突設され、貝止め突起（２）の一又は二以上の箇所に、前記外側広がりの角度とは異なる角度で基材（１）側又はそれと反対側に曲がった抜け止片（４０）が設けられ、これら基材（１）、貝止め突起（２）が樹脂で一体成型されたことを特徴とする貝係止具。
【請求項２】
請求項１記載の貝係止具において、貝止め突起（２）における抜け止片（４０）の曲がり部（４１）の幅方向両側又は片側に内側に窪んだ幅狭部分（４０ａ）が成型されたことを特徴とする貝係止具。
【請求項３】
請求項１又は請求項２記載の貝係止具において、抜け止片（４０）の曲がり部（４１）の外面（２ａ）と内面（２ｂ）の双方又はいずれか一方に、肉薄部（２ｃ）が成型されたことを特徴とする貝係止具。
【請求項４】
請求項１乃至請求項３のいずれかに記載の貝係止具において、貝止め突起（２）の先端より先方に一又は二以上の細い又は薄い抜け止部（４）が突設されたことを特徴とする貝係止具。
【請求項５】
請求項１乃至請求項４のいずれかに記載の貝係止具に、第一ロープ止め突起（３）と第二ロープ止め突起（１３）が基材（１）の反対方向に突出して成型され、第二ロープ止め突起（１３）は第一ロープ止め突起（３）の根元に又は先端よりも内側に突設されたことを特徴とする貝係止具。
【請求項６】
請求項５記載の貝係止具において、基材（１）が第一ロープ止め突起（３）側に凹陥して形成され、その凹陥部（１５）から第二ロープ止め突起（１３）が第一ロープ止め突起（３）と反対方向に突出して成型され、第二ロープ止め突起（１３）は第一ロープ止め突起（３）の根元に又は先端よりも内側に突設されたことを特徴とする貝係止具。
【請求項７】
請求項１乃至請求項６のいずれかに記載の貝係止具が多数本平行に間隔をあけて配置され、且つ多数本の貝係止具の軸方向両端部が剛性連結材（２１）で連結されて成型されたことを特徴とする集合貝係止具。
【請求項８】
請求項１乃至請求項６のいずれかに記載の貝係止具が多数本、間隔をあけてロール状に巻回可能な可撓性連結材（２５）で連結されて成型されたことを特徴とする連続貝係止具。
【請求項９】
請求項５又は請求項６記載の貝係止具が多数本、間隔をあけてロール状に巻回可能な可撓性連結材（２５）で連結されて成型され、可撓性連結材（２５）は隣接する貝係止具の第一ロープ止め突起（３）と第二ロープ止め突起（１３）を連結することを特徴とする連続貝係止具。
【請求項１０】
請求項８又は請求項９記載の連続貝係止具がボビン（３３）に、又はボビンなしでロール状に巻かれたことを特徴とするロール状連続貝係止具。
【請求項１１】
請求項８又は請求項９記載の連続貝係止具がシート（１８）を宛がってロール状に巻かれて、巻層間にシート（１８）が介在されたことを特徴とするロール状連続貝係止具。
【手続補正２】
【補正対象書類名】明細書
【補正対象項目名】全文
【補正方法】変更
【補正の内容】
【発明の詳細な説明】
【技術分野】
【０００１】
本発明は帆立貝、真珠貝、牡蠣、その他の貝の養殖に使用されるピン状の貝係止具と、数十本の貝係止具を一定間隔で成型した集合貝係止具と、数千〜数万本のロール状に巻回可能に連続成型した連続貝係止具と、連続貝係止具をロール状に巻いたロール状連続貝係止具に関するものである。
【背景技術】
【０００２】
帆立貝の養殖方法の一つとして図２１に示す耳吊養殖がある。これは海面近くに横向きに張った横ロープ（図示せず）に、帆立貝を取付けた縦ロープＣを縦向きに取り付けて海中に吊るす方法である。縦ロープＣへの帆立貝の取付けにはピン状の貝係止具Ｄが使用されている。図２１に示す貝係止具は樹脂成型されており、細長な基材Ａの両端に貝止め突起Ｇがあり、その内側にロープ止め突起Ｅがある。貝係止具は縦ロープＣに差し込み、貝Ｂにあけた孔に差し込んで貝Ｂを貝止め突起Ｇに係止する（特許文献１）。
【０００３】
【特許文献１】特開２００４−２０８６１９
【発明の開示】
【発明が解決しようとする課題】
【０００４】
海中に吊られた貝が波を受けて貝係止具Ｄを軸として回転したり、揺れたりすると、貝係止具Ｄの貝止め突起Ｇが捩れて基材Ａの窪み（寝床）Ｉの上に倒伏し、貝Ｂが貝係止具Ｄの貝止め突起Ｇを乗り越えて矢印ａ方向に抜け落ちることがあり、養殖の歩留りが低下し、養殖業者の収益が減収する。
【課題を解決するための手段】
【０００５】
本発明は、貝止め突起が切断したり、倒伏したりしにくく、貝が抜け落ちないようにした貝係止具を提供するものである。
【０００６】
本発明の請求項１記載の貝係止具は、ロープと貝にあけた孔に差し込み可能な細長の基材１が貝止め突起２を、又は貝止め突起２と第一ロープ止め突起３を備え、貝止め突起２は基材１の軸方向一方の端部５側から他方の端部５側に向けて外側広がりに突設され、貝止め突起２の一又は二以上の箇所に、前記外側広がりの角度とは異なる角度で基材１側又はそれと反対側に曲がった抜け止片４０が設けられ、これら基材１、貝止め突起２が樹脂で一体成型されたものである。
【０００７】
本発明の請求項２記載の貝係止具は、請求項１記載の貝係止具において、貝止め突起２における抜け止片４０の曲がり部４１の幅方向両側又は片側に内側に窪んだ幅狭部分４０ａが成型されたものである。
【０００８】
本発明の請求項３記載の貝係止具は、請求項１又は請求項２記載の貝係止具において、抜け止片４０の曲がり部４１の外面２ａと内面２ｂの双方又はいずれか一方に、肉薄部２ｃが成型されたものである。
【０００９】
本発明の請求項４記載の貝係止具は、請求項１乃至請求項３のいずれかに記載の貝係止具において、貝止め突起２の先端より先方に一又は二以上の細い又は薄い抜け止部４が突設されたものである。
【００１０】
本発明の請求項５記載の貝係止具は、請求項１乃至請求項４のいずれかに記載の貝係止具において、第一ロープ止め突起３と第二ロープ止め突起１３が基材１の反対方向に突出して成型され、第二ロープ止め突起１３は第一ロープ止め突起３の根元に又は先端よりも内側に突設されたものである。
【００１１】
本発明の請求項６記載の貝係止具は、請求項５記載の貝係止具において、貝係止具の基材１が第一ロープ止め突起３側に凹陥して形成され、その凹陥部１５から第二ロープ止め突起１３が第一ロープ止め突起３と反対方向に突出して成型され、第二ロープ止め突起１３は第一ロープ止め突起３の根元に又は先端よりも内側に突設されたものである。
【００１２】
本発明の請求項７記載の集合貝係止具は、請求項１乃至請求項６のいずれかに記載の貝係止具が多数本平行に間隔をあけて配置され、且つ多数本の貝係止具の軸方向両端部が剛性連結材２１で連結されて成型されたものである。
【００１３】
本発明の請求項８記載の連続貝係止具は、請求項１乃至請求項６のいずれかに記載の貝係止具が多数本、間隔をあけてロール状に巻回可能な可撓性連結材２５で連結されて成型されたものである。
【００１４】
本発明の請求項９記載の連続貝係止具は、請求項５又は請求項６記載の貝係止具が多数本、間隔をあけてロール状に巻回可能な可撓性連結材２５で連結されて成型され、可撓性連結材２５は隣接する貝係止具の第一ロープ止め突起３と第二ロープ止め突起１３を連結したものである。
【００１５】
本発明の請求項１０記載のロール状連続貝係止具は、請求項８又は請求項９記載の連続貝係止具がボビン３３に、又はボビンなしでロール状に巻かれたものである。
【００１６】
本発明の請求項１１記載のロール状連続貝係止具は、請求項８又は請求項９記載の連続貝係止具がシート１８を宛がってロール状に巻かれて、巻層間にシート１８が介在されたものである。
【００１７】
【００１８】
【００１９】
【００２０】
【００２１】
【発明の効果】
【００２２】
【００２３】
【００２４】
【００２５】
【００２６】
【００２７】
【００２８】
本発明の請求項１記載の貝係止具は、抜け止部が貝止め突起の一又は二以上の箇所に貝止め突起の突設角度とは異なる角度で基材側又はそれと反対側に曲がった抜け止片を備えているので、貝の孔に基材の先端部及び貝止め突起を貫通した後は、抜け止片が邪魔になり貝が脱落しない。
【００２９】
本発明の請求項２記載の貝係止具は、抜け止片の曲がり部の幅方向両側又は一側に内側に窪んだ幅狭部分が形成されたので、貝の孔に基材の先端部及び貝止め突起を貫通するときに抜け止部が幅狭部分から曲がり易くなり、抜け止部が邪魔になることなく貝の孔に基材の先端部及び貝止め突起がスムースに貫通し、貫通してからは抜け止片が邪魔になり貝が脱落しない。
【００３０】
本発明の請求項３記載の貝係止具は、抜け止片の曲がり部の内面又は外面を肉薄に形成したので、貝の孔に基材の先端部及び貝止め突起を貫通するときに抜け止片が肉薄部からより一層曲がり易くなり、抜け止片が邪魔になることなく貝の孔に基材の先端部及び貝止め突起がより一層スムースに貫通し、貫通してからは抜け止片が邪魔になり貝が脱落しない。
【００３１】
本発明の請求項４記載の貝係止具は、前記貝係止具の貝止め突起に、その先端より先方に突設する細い又は薄い抜け止部を一又は二以上設けたので、前記した貝脱落防止効果に加えて、抜け止部による貝脱落防止効果もあるため、貝の脱落を確実に防止できる。
【００３２】
本発明の請求項５、６記載の貝係止具は、貝係止具の基材に第二ロープ止め突起を第一ロープ止め突起と反対方向に突設して成型し、第二ロープ止め突起を第一ロープ止め突起の根元又は先端よりも内側に突設したので、第一ロープ止め突起の傾斜角度θを図２２（ｂ）のように小さくして、ロープ止め突起Ｅの根元間の間隔Ｍを図２２（ａ）の間隔ｍより広くしても、ロープに差し込まれた貝係止具のスライド幅（左右へのずれ幅）が第二ロープ止め突起により規制されて小さくなり、貝係止具が位置ずれしにくくなる。このため、第一ロープ止め突起がロープへ衝突しにくくなり、第一ロープ止め突起の折損が無く、貝係止具がロープから抜けて脱落することがなく、養殖貝の歩留まりが向上する。
【００３３】
本発明の請求項７記載の集合貝係止具は、前記貝係止具を多数本平行に間隔をあけて配置し、且つ多数本の貝係止具の軸方向端部を剛性連結材で連結して成型したので、多数枚を横向きにして上下に重ねたり、縦向きにして前後或は左右に並べたりして、切断差し込み機（通称：ピンセッター）にセットして、貝係止具を１本ずつ切断しながらロープに差し込むことができ、ロープへの差し込みが自動化され、作業性が向上する。この場合、多数本の貝係止具を同じ向きにして連結すれば、一本ずつ分離してロープに差し込む場合に貝係止具の方向が揃い、ロープへの差し込み、貝への差し込みなどの作業がし易くなる。剛性連結材での連結であるため、集合貝係止具をピン自動切断差し込み機にセットして一本ずつ切断して差し込むときに、集合貝係止具を自動送りしても隣接する貝係止具の間隔や集合貝係止具全体の形状が変化することが無く、切断、差し込み作業が安定する。
【００３４】
本発明の請求項８、９記載の連続貝係止具は、前記貝係止具を多数本平行に間隔をあけて配置し、且つ多数本の貝係止具の基材間をロール状に巻回可能な可撓性連結材で連結したので次のような効果がある。
（１）貝係止具が数千、数万本と多くなっても、ロール状に巻回して保管、搬送、ピンセッターへのセットができ、コンパクトにまとまるため保管に場所をとらず取り扱いに便利である。
（２）可撓性連結材を薄肉片にすれば貝係止具の分離が容易になり、ロール状に巻き易くもなる。数十ｍ以上長く連続成型された連続貝係止具は、保管や運搬の仕方によっては貝係止具のロープ止め突起同士が絡まったり、貝止め突起同士が絡まったり、基材の端部が曲がったりして、引き出しにくいとか、一本ずつ分離しにくくなることがあるが、保護シートがあるためそのようなことはない。
【００３５】
本発明の請求項１０記載のロール状連続貝係止具は、前記連続貝係止具をロール状に巻いたので次のような効果がある。
連続貝係止具をボビンにロール状に巻いたロール状連続貝係止具の場合は、ボビンを回転軸にセットして連続貝係止具をボビンから引き出すことができるため、ボビンの回転が円滑になり、貝係止具の１本ずつの切断、切断した貝係止具のロープへの差し込みがスムースに行われる。ボビンに鍔があるため貝係止具をロール状に巻いた鍔を重ねて保管したり、収納したりすることができ、取り扱いに便利である。
【００３６】
本発明の請求項１１記載のロール状連続貝係止具は、保護シートを介在させてロール状に巻いたため、連結されている多数の貝係止具同士が絡まり合うことがなく、連続貝係止具の巻き戻し(引き出し)がスムースになり、自動ピンセッターなどへのセットが容易になり、使い易くなる。
【発明を実施するための最良の形態】
【００３７】
（貝係止具の基本形態の一例の説明）
本発明の貝係止具の基本形態を図１（ａ）〜（ｄ）を参照して説明する。これら図の貝係止具は海中に吊るす図２(ｂ）の縦ロープ及び図６(ａ）のように貝６の耳にあけた孔６ｂに差し込み可能なピン形状の基材１のほぼ中央部に第一ロープ止め突起３が２本突設され、第一ロープ止め突起３よりも外側の両端部（差し込み端部）５寄りには貝の抜けを規制する貝止め突起２が突設され、これら基材１、貝止め突起２、第一ロープ止め突起３が一体に樹脂成型されている。
【００３８】
基材１の形状は丸ピン、角ピン、他の形状のピンとすることができる。図１の基材１は両端部（差し込み端部）５を先細りに成型して貝６の孔６ｂに差し込み易くしてある。基材１のうち貝止め突起２と対向する内面には、基材１の中央部の外周面よりも一段低い凹部（寝床）１０を設けて、貝止め突起２をその根元部分から基材１側に押し倒すと、貝止め突起２が寝床１０内に伏して倒れ（倒伏し）て、貝止め突起２と寝床１０が重なって輪郭が円形になるようにしてある。これにより貝止め突起２は貝係止具を基材１の軸方向一端から縦ロープに差し込むときも、貝の耳にあけた孔に差し込むときも、押し倒されて寝床１０内に倒れて貝止め突起２が縦ロープ内を貫通し易くなる。また、差し込み時に倒れた貝止め突起２は縦ロープを貫通し終えたときも、貝６の孔６ｂを貫通し終えたときも、自己の弾性と復元力で自動的に起立して倒れる前の元の状態に復元できるようにしてある。
【００３９】
第一ロープ止め突起３は縦ロープに差し込んだ貝係止具が縦ロープから抜けるのを阻止するためのものであり、基材１の外周の同方向に二本突設され、互いに内向き斜めに突設されてハ字状になっている。第一ロープ止め突起３は基材１の長手方向中央部の外径よりもやや細い丸棒状であるが、それ以外の形状、例えば、三角や四角の棒状とか、楕円形の棒状等であってもよく、太さもそれ以外であってもよい。二本の貝止め突起２は図１０（ａ）のように互いに反対方向に斜めに突設することも、図１０（ｂ）のように互いに同じ方向であるが貝止め突起２とは反対方向に突設することもできる。
【００４０】
貝止め突起２は図１（ａ）に明示するように、その立ち上がり部分（根元部分：基材１の軸方向一方の端部５）側から他方の端部５側に向けて斜め外側広がりに突設され、更に、外面２ａ側に反り返るよう湾曲させて、貝止め突起２に係止された貝が抜けにくくなるようにしてある。また、図１（ｃ）のように貝止め突起２の根元内側部分２ｄは円弧状に湾曲させて、貝止め突起２に貝の荷重が加わってもその荷重が貝止め突起２の根元内側部分２ｄに伝わりにくくなって、根元内側部分２ｄが切れにくくなるようにしてある。図１（ａ）〜（ｄ）の貝止め突起２は薄板状に成型されているが、貝止め突起２は倒伏・復元可能な弾性のある丸棒状とか外面が円弧状の半円形とか、その他の形状とすることもできる。貝止め突起２は図１（ｄ）のように基材１の軸方向一端部に反対方向に２枚ずつ突設することもできる。
【００４１】
（貝係止具の実施の形態１）
本発明の貝係止具の実施形態１を、図３（ａ）を参照して説明する。この貝係止具は、貝止め突起２の両側方に、その幅方向内側に窪んで幅を狭くする窪み部３０を形成したものである。窪み部３０は幅方向一側方のみに形成することもできる。また、両側方に形成する場合は、両側の窪み部３０の位置を貝止め突起２の軸方向に少しずらすこともできる。窪み部３０を設けることにより、海中に吊るしてある間に、貝止め突起２が幅の狭い部分から内側又は外側に首折れ状態に曲がり易くなり、曲がるとその部分よりも先端側が邪魔して貝が脱落しにくくなる。窪み部３０の位置を貝止め突起２の軸方向に少しずらして設けた場合は、貝止め突起２が幅の狭い部分から曲がり易くなり、しかも、両側方の同じ位置に設けた場合よりも貝止め突起２における窪み部間の幅が狭くなるため、その部分の強度も低下しない。図示した窪み部３０は貝止め突起２の両側面にその長手方向に沿って三個ずつ設けてあるが、両側面又は片側面に一以上設ければよい。窪み部３０は直線状（Ｖ字状）に凹陥させてあるが、曲線状（例えばＵ字状）に湾曲させて窪ませることもできる。この場合、貝止め突起２における窪み部３０の内側の幅狭部３０ａの内面又は外面を肉薄にして、幅狭部３０ａを肉薄部分から内面側又は外面側に曲がり易くすることもできる。
【００４２】
（貝係止具の実施の形態２）
本発明の貝係止具の実施形態２を、図３（ｂ）を参照して説明する。この貝係止具は、前記貝止め突起２の内面２ｂに肉薄部２ｃを、幅方向に細長に形成したものである。肉薄部２ｃは貝止め突起２の外面２ａと内面２ｂの双方又は外面２ａだけに形成することもでき、いずれに形成した場合も二本以上形成することもできる。この場合も、海中に吊るしてある間に、貝止め突起２が肉薄部２ｃから内側又は外側に折れ易くなり、曲がるとその部分よりも先端側が邪魔して貝が脱落しにくくなる。図３（ｂ）の場合、基材１の寝床１０に突起１３が突設されている。これは寝床１０の補強用であり、貝止め突起２が寝床１０の上に倒伏したときに、肉薄部２ｃが被さる位置に形成してあるが、突起１３は必ずしも必要ではない。
【００４３】
【００４４】
【００４５】
【００４６】
【００４７】
【００４８】
（貝係止具の実施の形態３）
本発明の貝係止具の実施形態３を、図６（ａ）を参照して説明する。この貝係止具は貝止め突起２の先端部の全幅又は幅の一部分を基材１側に向けて（内向きにして）斜めに、へ字状に曲げて抜け止片４０を形成したものである。抜け止片４０は図６（ｂ）のように貝止め突起２の先端部の全幅又は幅の一部分を基材１と反対側に向けて（外向きにして）斜めに、へ字状に曲げることもできる。いずれの場合も曲げ角度を急（鋭角）にすると、貝の孔に基材の先端部及び貝止め突起を貫通するときに抜け止部４が邪魔になって差し込みにくくなるため、図６（ａ）（ｂ）に示したような緩やかな角度（ほぼへ字状）に屈曲させると、基材１の先端部及び貝止め突起２を差し込み易く、しかも、貫通してから貝が脱落しにくくなる。また、図６（ａ）のように内側に曲げた抜け止片４０の曲がり部（屈曲部）４１、図６（ｂ）のように外側に曲げた抜け止片４０の曲がり部４１を、図６（ｃ）（ｄ）のように幅方向両側に内側に窪む窪み部３０を形成して幅狭部分４０ａを形成すれば、基材１の先端部の抜け止片４０から貝止め突起２を差し込むときに、曲がっている抜け止部４が幅狭部分４０ａから逆方向に戻って貝止め突起２が根元から先端部まで真っ直ぐになり易くなり、基材１の先端部及び貝止め突起２を差し込み易くなる。しかも貫通後は真っ直ぐになる前の屈曲状態に自動的に戻って復元して屈曲するため貝が脱落しにくくなる。幅狭部分４０ａは貝止め突起２の幅方向片側だけに形成することもできる。この場合、図６（ａ）の曲がり部４１の内側に図７（ａ）のように肉薄部２ｃを形成したり、図６（ｂ）の曲がり部４１の外側に図７（ｂ）のように肉薄部２ｃを形成したり、図６（ｃ）の曲がり部４１の内側に図７（ｃ）のように肉薄部２ｃを形成したりすることもできる。図７（ａ）のように肉薄にすれば、貝６の孔６ａへの基材１の先端部及び貝止め突起２の差し込み時に、抜け止部４が肉薄部２ｃから外側に曲がって真っ直ぐに伸び易くなるため差し込みが容易になり、差し込み後は抜け止片４０が肉薄部２ｃから自動的に内側に戻って（曲がって）下向きになるため貝６が抜けにくくなる。図７（ｂ）のように肉薄にすれば、貝の孔への基材１の先端部及び貝止め突起２の差し込み時に、抜け止片４０が肉薄部２ｃから内側に曲がって真っ直ぐに伸び易くなるため差し込みが容易になり、差し込み後は抜け止め片４０が肉薄部２ｃから自動的に外側に戻って（曲がって）上向きになるため、貝が抜けにくくなる。図６（ｃ）の場合は、曲がり部４１の外側を肉薄にすることもできる。図示したいずれの場合も抜け止片４０は貝止め突起２の幅方向全体に形成してあるが、幅方向左右のいずれか側のみ、或いは幅方向中央のみ、或いは幅方向両側のみに形成することもできる。
【００４９】
抜け止片４０は図８（ａ）〜（ｄ）のように、貝止め突起２の長手方向（軸方向）中央部から屈曲させて形成することもできる。この場合も、図９（ａ）〜（ｃ）のように抜け止片４０の曲がり部４１の内側又は外側に肉薄部２ｃを形成することができる。抜け止片４０の形成位置は貝止め突起２であれば他の箇所に形成することもできる。抜け止片４０の形状、大きさ、曲げ角度等は所望のものとすることができる。
【００５０】
（貝係止具の実施の形態４）
本発明の実施の形態４の貝係止具は図１８（ａ）のように、基材１の第一ロープ止め突起３の反対側に第二ロープ止め突起１３を突設したものでもよい。第二ロープ止め突起１３は第一ロープ止め突起３よりも短くしてあり、第一ロープ止め突起３の根元の内側で、第一ロープ止め突起３の先端とほぼ同じ位置に同じ間隔で突設されている。
【００５１】
（貝係止具の実施の形態５）
本発明の実施の形態５の貝係止具は図１９（ａ）のように、基材１の第一ロープ止め突起３の内側を台形状に第一ロープ止め突起３側に突出させ、その凹陥部１５の内側に第二ロープ止め突起１３を突設したものでもよい。この場合も、第二ロープ止め突起１３は第一ロープ止め突起３よりも短くして凹陥部１５の内側に突出するか、凹陥部１５よりもわずかに外側まで突出する程度の長さにしてある。また、突設位置は第一ロープ止め突起３の根元の内側で、第一ロープ止め突起３の先端とほぼ同じ位置に突設されている。第二ロープ止め突起１３は前記実施形態のいずれかに記載の貝係止具に突設することもできる。
【００５２】
前記した各実施形態の貝係止具の貝止め突起２の先端又は抜け止片４０の先端には、図３（ｃ）、（ｄ）のような抜け止部４を形成することもできる。抜け止部４は貝止め突起２に係止された貝６の脱落を防止するためのものである。抜け止部４は基材１及び貝止め突起２とともに貝６の孔６ｂに差し込んで貫通させるものであるため、その差し込み時に障害とならないように薄片、細片、細紐、細糸といった細い形状、薄い形状にしてある。図３（ｃ）（ｄ）では丸紐にして、貝止め突起２の延長線上に直線状に突設してあるが、図１３（ａ）のように貝止め突起２の湾曲に沿って外側に湾曲させてもよく、図１４（ｂ）のように貝止め突起２の延長線上で内側に湾曲させることもできる。湾曲ではなく屈曲させることもできる。抜け止部４は図１３（ｂ）では貝止め突起２の幅方向中央部から突出させてあるが、貝止め突起２の幅方向両端側に突出させるとか、貝止め突起２と同じ幅で突出させることもできる。抜け止部４は図２（ａ）〜（ｃ）のように、貝６の蝶つがい６ａ側の段差部７の外側まで突出する長さにしてある。抜け止部４は貝止め突起２に二本以上設けることもできる。この場合は、図３（ｄ）のように貝止め突起２の幅方向に間隔をあけて設けてもよく、図３（ｃ）のように貝止め突起２の肉厚方向に間隔をあけて設けてもよい。
【００５３】
（集合貝係止具の実施の形態１）
本発明の集合貝係止具は、図１５に示すように図６（ａ）の貝係止具を、間隔をあけて多数本平行に配置し、それら貝係止具の両端をレール状の剛性連結材２１で連結して樹脂成型して、一枚の集合貝係止具としたものである。剛性連結材２１は角棒状であり、太くして剛性を持たせて、隣接する貝係止具の間隔を変形しにくくすると共に、全体も変形しにくくしてある。剛性連結材２１は角棒以外の形状とすることができる。
【００５４】
（集合貝係止具の実施の形態２）
本発明の集合貝係止具の第２の実施形態を図１６に基づいて説明する。この集合貝係止具の基本的形状は図１５の集合貝係止具と同じであり、異なるのは、各貝止め突起２の端部５を剛性連結材２１で連結すると共に、各貝止め突起２の先端部５と剛性連結材２１の間に、端部５よりも大径の円盤状の突起２３を設けたことである。この突起２３は集合貝係止具をピンセッターにセットして貝係止具を１本分ずつ移動させて、貝係止具を１本ずつ切断分離するときに、ギヤ送りするための係止部である。集合する貝係止具の本数は任意とすることができるが、作業性、形状保持性等の面から２０〜３０本程度が望ましい。
【００５５】
本発明の集合貝係止具は前記貝係止具の実施形態のいずれかに記載の貝係止具を図１５、図１６のように間隔をあけて多数本平行に配置し、それら貝係止具の両端をレール状の剛性連結材２１で連結して樹脂成型することもできる。
【００５６】
（連続貝係止具の実施の形態１）
本発明の連続貝係止具は、図１７（ａ）のように図６（ａ）の貝係止具を、間隔をあけて数千〜数万本平行に配置し、それら貝係止具のロープ止め突起３と貝止め突起２の間を丸紐状の可撓性連結材２５で連結して樹脂成型して、ロール状に巻くことができるようにしたものである。
【００５７】
（連続貝係止具の実施の形態２）
本発明の連続貝係止具は、図１７（ｂ）のように図６（ａ）の貝係止具を、間隔をあけて数千〜数万本平行に配置し、それら貝係止具の２本のロープ止め突起３の間を薄い平紐の可撓性連結材２５で連結成型してロール状に巻くことができるようにしてある。可撓性連結材２５は、ロール状に巻くことができるものであれば他の形状とすることができる。
【００５８】
（連続貝係止具の実施の形態３）
本発明の連続貝係止具の第３の実施形態を図１８（ｂ）に基づいて説明する。この連続貝係止具は、貝止め突起２が図６（ａ）の構造である貝係止具に図１８（ａ）のように第二ロープ止め突起１３を設けた貝係止具を、間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００５９】
（連続貝係止具の実施の形態４）
本発明の連続貝係止具の第４の実施形態を図１９（ｂ）に基づいて説明する。この連続貝係止具は、貝止め突起２が図６（ａ）の構造である貝係止具の基材１を図１９（ａ）のように第一ロープ止め突起３側に台形状に曲げ、台形状の凹陥部１５に第二のロープ止め突起１３を設けた貝係止具を、間隔をあけて数千〜数万本平行に配置し、それら貝係止具の第一ロープ止め突起３と第二ロープ止め突起１３の間を薄い片の可撓性連結材２５で連結成型してロール状に巻くことができるようにしたものである。可撓性連結材２５はロール状に巻くことができるものであれば他の形状とすることができる。
【００６０】
（ロール状連続貝係止具の実施の形態）
本発明のロール状連続貝係止具は、前記した連続貝係止具を図２０（ａ）のようにロール状に巻いたものである。この場合、連続貝係止具２７に帯状のシート(シートより薄いフィルムを含む)１８を添わせてロール状に巻いて、連続貝係止具２７の間にシート１８を介在させてある。シート１８には障子紙のような帯状の紙とか、コピー用紙のような質、厚さの紙を帯状に長くしたものとか、帯状に長くした樹脂製のシート等を使用することができるが、使用後の廃棄処分の容易さから紙を使用するのが好ましい。シート１８は幅、長さ共に連続貝係止具２７のそれらと同程度のものが好ましいが、それより短いものを足しながら使用することもできる。本発明のロール状連続貝係止具はシート１８を介在させずに巻くこともできる。
【００６１】
本発明の連続貝係止具２７は図２０（ｂ）のように巻胴３１の両端に鍔３２を設けたボビン３３の巻胴３１にロール状に巻くこともできる。ボビン３３は肉厚の紙製、樹脂製、木製等とすることができる。紙製の場合は使い捨てに適し、樹脂製、木製等の場合は再使用するのに適する。ボビン３３に巻く連続貝係止具２７の間にはシート１８を介在させても、介在させなくともよい。
【００６２】
本発明の連続貝係止具の使用方法は種々あるが、一例としてはロール状に巻いた連続貝係止具２７をほどいてその一端を自動切断差し込み機にセットし、自動切断差し込み機により自動的に貝係止具１を一本ずつ切り離して縦ロープに差し込み、ロープ止め突起３で縦ロープから抜けないようにする。縦ロープに差し込んだ貝係止具の端部５を貝６の耳に開口してある孔６ｂに差し込んで、貝止め突起２をその孔６ｂを貫通させ、貝６の耳を貝止め突起２によって係止する。貝係止具の長手方向他端を同様に貝６の孔６ｂに差し込んで貝止め突起２に貝６の耳を係止する。
【図面の簡単な説明】
【００６３】
【図１】（ａ）〜（ｄ）は本発明の貝係止具の基本形状の説明図。
【図２】（ａ）は貝と抜け止部の位置関係を示す斜視説明図、（ｂ）は貝を本発明の貝係止具で縦ロープに吊り下げた状態の側面説明図、（ｃ）は（ｂ）の右側面図。
【図３】（ａ）は貝係止具の一例の斜視図、（ｂ）は本発明の貝係止具の一例の斜視図、（ｃ）は貝係止具の他例の斜視図、（ｄ）は本発明の貝係止具の異なる例の斜視図。
【図４】（ａ）は貝係止具の異なる例の側面図、（ｂ）は（ａ）の斜視図、（ｃ）は貝係止具の異なる実施例の斜視図。
【図５】（ａ）〜（ｃ）は貝係止具の各種例の斜視図。
【図６】（ａ）〜（ｃ）は本発明の貝係止具の異なる例の斜視図、（ｄ）は（ｃ）の貝係止具の平面図。
【図７】（ａ）〜（ｃ）は図６（ａ）〜（ｃ）の貝止め突起の屈曲部を肉薄にした状態の斜視図。
【図８】（ａ）〜（ｃ）は本発明の貝係止具の異なる例の斜視図、（ｄ）は（ｃ）の貝係止具の平面図。
【図９】（ａ）〜（ｃ）は本発明の貝係止具の異なる例の斜視図。
【図１０】（ａ）、（ｂ）は本発明の貝係止具の異なる例の側面図。
【図１１】本発明の貝係止具の異なる例の側面図。
【図１２】本発明の抜け止部を設けた貝係止具の異なる例の側面図。
【図１３】（ａ）は図１２のＡ部詳細図、（ｂ）は（ａ）の左側面図。
【図１４】（ａ）、（ｂ）は抜け止部の異なる例の側面説明図。
【図１５】本発明の集合貝係止具の一例の側面図。
【図１６】本発明の集合貝係止具の他の例の側面図。
【図１７】（ａ）、（ｂ）は本発明の連続貝係止具の異なる例の側面図。
【図１８】（ａ）は本発明の貝係止具の異なる実施例の側面図、（ｂ）は（ａ）の貝係止具を連続成型した連続貝係止具の側面図。
【図１９】（ａ）は本発明の貝係止具の異なる実施例の側面図、（ｂ）は（ａ）の貝係止具を連続成型した連続貝係止具の側面図。
【図２０】（ａ）は本発明のロール状連続貝係止具の一例の斜視図、（ｂ）はボビンに巻いたロール状連続貝係止具の一例の側面図。
【図２１】従来の貝係止具の使用の一例の斜視図。
【図２２】（ａ）は従来の貝係止具の説明図、（ｂ）は本発明の貝係止具の説明図。
【符号の説明】
【００６４】
１    基材
２    貝止め突起
２ａ  貝止め突起の外面
２ｂ  貝止め突起の内面
２ｃ  肉薄部
２ｄ  根元内側部分
３    第一ロープ止め突起
４    抜け止部
５    基材の端部
６    貝
７    段差部
９    落下防止突起
１０    寝床
１１    受け凹部
１３    第二ロープ止め突起
１５    凹陥部
１８    シート
２１    剛性連結材
２３    突起
２５    可撓性連結材
２７    連続貝係止具
３０    窪み部
３０ａ  幅狭部
３１    巻胴
３２    鍔
３３    ボビン
４０    抜け止片
４０ａ  幅狭部分
４１    曲がり部